(57)【特許請求の範囲】
【請求項１】
基地局を動作させる方法であって、
ユーザ機器（ＵＥ）デバイスをページングする個別の要求を示す複数のプロトコルメッセージを、ネットワークエンティティから受信すること、及び
複数のページングメッセージを個別の電力レベルで前記ＵＥデバイスへ送信するよう、前記基地局の送信機に指示すること、を含み、前記複数のページングメッセージのそれぞれについて、前記ページングメッセージの送信の前記送信機への前記指示は、前記複数のプロトコルメッセージのうちの対応する１つのプロトコルメッセージの受信に応答して実行され、前記複数のページングメッセージのうちのＮ番目のページングメッセージの後の各ページングメッセージの前記電力レベルは、前記ネットワークエンティティから受信された前記プロトコルメッセージの数のカウントに従って、前記複数のページングメッセージのうちの最初のＮ個に対するＮ個の電力レベルより大きい電力レベルに増加され、Ｎは正の整数である
ことを特徴とする方法。
【請求項２】
前記ページングメッセージの送信の前記送信機への前記指示は、前記複数のプロトコルメッセージのうちの最初のプロトコルメッセージの到着時間に開始する、所定の時間幅を有する時間ウィンドウ内で発生する前記複数のプロトコルメッセージのうちの対応する１つのプロトコルメッセージの受信に応答して実行される
ことを特徴とする請求項１に記載の方法。
【請求項３】
前記複数のページングメッセージのうちの前記Ｎ番目のページングメッセージの後の連続するページングメッセージ毎に、前記電力レベルが増加する
ことを特徴とする請求項１に記載の方法。
【請求項４】
それまでに前記ＵＥデバイスへ送信された前記複数のページングメッセージのカウントを維持すること、及び
前記複数のページングメッセージのうちの現在のページングメッセージに対する前記電力レベルを判定するために、前記カウントを前記正の整数Ｎと比較すること、を更に含む
ことを特徴とする請求項１に記載の方法。
【請求項５】
受信された前記複数のプロトコルメッセージの数のカウントを維持すること、及び
前記複数のページングメッセージのうちの現在のページングメッセージに対する前記電力レベルを判定するために、前記カウントを、前記正の整数Ｎに依存する閾値と比較すること、を更に含む
ことを特徴とする請求項１に記載の方法。
【請求項６】
基地局のための処理エージェントであって、
プロセッサと、
プログラム命令を格納したメモリと、を備え、前記プログラム命令は、前記プロセッサによって実行されると前記プロセッサに、
ユーザ機器（ＵＥ）デバイスをページングする個別の要求を示す複数のプロトコルメッセージを、ネットワークエンティティから受信すること、及び
複数のページングメッセージを個別の電力レベルで前記ＵＥデバイスへ送信するよう、前記基地局の送信機に指示すること、を行わせ、前記複数のページングメッセージのそれぞれについて、前記ページングメッセージの送信の前記送信機への前記指示は、前記複数のプロトコルメッセージのうちの対応する１つのプロトコルメッセージの受信に応答して実行され、前記複数のページングメッセージのうちのＮ番目のページングメッセージの後の各ページングメッセージの前記電力レベルは、前記ネットワークエンティティから受信された前記プロトコルメッセージの数のカウントに従って、前記複数のページングメッセージのうちの最初のＮ個に対するＮ個の電力レベルより大きい電力レベルに増加され、Ｎは正の整数である
ことを特徴とする処理エージェント。
【請求項７】
前記ページングメッセージの送信の前記送信機への前記指示は、前記複数のプロトコルメッセージのうちの最初のプロトコルメッセージの到着時間に開始する、所定の時間幅を有する時間ウィンドウ内で発生する前記複数のプロトコルメッセージのうちの対応する１つのプロトコルメッセージの受信に応答して実行される
ことを特徴とする請求項６に記載の処理エージェント。
【請求項８】
前記複数のページングメッセージのうちの前記Ｎ番目のページングメッセージの後の連続するページングメッセージ毎に、前記電力レベルが増加する
ことを特徴とする請求項６に記載の処理エージェント。
【請求項９】
前記プログラム命令は、前記プロセッサによって実行されると前記プロセッサに、
それまでに前記ＵＥデバイスへ送信された前記複数のページングメッセージのカウントを維持すること、及び
前記複数のページングメッセージのうちの現在のページングメッセージに対する前記電力レベルを判定するために、前記カウントを前記正の整数Ｎと比較すること、を更に行わせる
ことを特徴とする請求項６に記載の処理エージェント。
【請求項１０】
前記プログラム命令は、前記プロセッサによって実行されると前記プロセッサに、
受信された前記複数のプロトコルメッセージの数のカウントを維持すること、及び
前記複数のページングメッセージのうちの現在のページングメッセージに対する前記電力レベルを判定するために、前記カウントを、前記正の整数Ｎに依存する閾値と比較すること、を更に行わせる
ことを特徴とする請求項６に記載の処理エージェント。
【請求項１１】
基地局であって、
デジタル回路を備え、前記デジタル回路は、
ユーザ機器（ＵＥ）デバイスをページングする個別の要求を示す複数のプロトコルメッセージを、ネットワークエンティティから受信し、
複数のページングメッセージを個別の電力レベルで前記ＵＥデバイスへ送信するよう、前記基地局の送信機に指示するように構成され、前記複数のページングメッセージのそれぞれについて、前記ページングメッセージの送信の前記送信機への前記指示は、前記複数のプロトコルメッセージのうちの対応する１つのプロトコルメッセージの受信に応答して実行され、前記複数のページングメッセージのうちのＮ番目のページングメッセージの後の各ページングメッセージの前記電力レベルは、前記ネットワークエンティティから受信された前記プロトコルメッセージの数のカウントに従って、前記複数のページングメッセージのうちの最初のＮ個に対するＮ個の電力レベルより大きい電力レベルに増加され、Ｎは正の整数である
ことを特徴とする基地局。
【請求項１２】
前記ページングメッセージの送信の前記送信機への前記指示は、前記複数のプロトコルメッセージのうちの最初のプロトコルメッセージの到着時間に開始する、所定の時間幅を有する時間ウィンドウ内で発生する前記複数のプロトコルメッセージのうちの対応する１つのプロトコルメッセージの受信に応答して実行される
ことを特徴とする請求項１１に記載の基地局。
【請求項１３】
前記複数のページングメッセージのうちの前記Ｎ番目のページングメッセージの後の連続するページングメッセージ毎に、前記電力レベルが増加する
ことを特徴とする請求項１１に記載の基地局。
【請求項１４】
前記デジタル回路は、
それまでに前記ＵＥデバイスへ送信された前記複数のページングメッセージのカウントを維持し、
前記複数のページングメッセージのうちの現在のページングメッセージに対する前記電力レベルを判定するために、前記カウントを前記正の整数Ｎと比較する、ように更に構成される
ことを特徴とする請求項１１に記載の基地局。
【請求項１５】
前記デジタル回路は、
受信された前記複数のプロトコルメッセージの数のカウントを維持し、
前記複数のページングメッセージのうちの現在のページングメッセージに対する前記電力レベルを判定するために、前記カウントを、前記正の整数Ｎに依存する閾値と比較する、ように更に構成される
ことを特徴とする請求項１１に記載の基地局。
【発明の詳細な説明】
【技術分野】
【０００１】
本願は、無線通信に関し、特に、リンクバジェットが制限されているユーザ機器デバイスのためのページング機構に関する。
【背景技術】
【０００２】
スマートフォン及びタブレットコンピュータ等の無線ユーザ機器（ＵＥ）デバイスは、例えば通話、インターネット閲覧、電子メール、テキストメッセージング、ソーシャルメディアの更新、全地球測位システム（ＧＰＳ）を使用したナビゲーション、ゲーム等の種々の機能のどれをも実行するために無線ネットワークと通信する。
【０００３】
ＬＴＥ等のセルラ無線アクセス技術（ＲＡＴ）において、ページングは、ユーザ機器（ＵＥ）にＵＥを対象とした着呼又はデータを通知するためにネットワーク（ＮＷ）が使用する手順である。ページングメッセージは、ネットワークにアタッチし且つネットワークとのＮＡＳシグナリング接続を確立するようＵＥに要求する。（ＮＡＳは、非アクセス層の略字である。非アクセス層は、ＬＴＥ／Ｅ−ＵＴＲＡＮアクセスのためにＵＥとモビリティ管理エンティティとの間で非無線信号を伝送するために使用される発展型パケットシステムにおけるプロトコルの集合である。）ページングメッセージは、システム情報（ＳＩ）の変更又はＥＴＷＳ情報をＵＥに通知するためにも使用される。（ＥＴＷＳは、地震津波警報システムの略字である。）
【０００４】
ネットワークは、主に、例えばＵＥがアイドルモードの際にＵＥの場所を認識していないため、ページング手順を使用する。（モビリティ管理エンティティは、所定のＵＥに対するページングメッセージをトラッキングエリアに属する複数の基地局に送信する。）従って、ページングは、ＵＥとの接続を確立するためにネットワークが実行する最初の手順である。ネットワークからＵＥへの接続を開始するためにページングを使用することは、ネットワークとの接続を開始するためにＵＥが使用するランダムアクセス手順（ＲＡＣＨ）に類似する。従って、ＵＥがページングメッセージの検出に失敗すると、電話に出られなかったりデータを損失したりすることにつながるため、ＵＥによるページングメッセージの検出は非常に重要である。
【０００５】
無線デバイスによっては、リンクバジェットが制限されている（ＬＢＬ：link budget limited）ため、ネットワークの基地局が送信するメッセージを受信するのに支障が生じる恐れがある。同様に、基地局もリンクバジェットが制限されたデバイスが送信するメッセージを受信するのに支障が生じる恐れがある。デバイスは、例えば以下の場合に種々の理由のうちのいずれかでリンクバジェットが制限されている恐れがある。
デバイスのアンテナシステムの性能が劣っている、又は
デバイスのアンテナシステムが、対象の帯域において最適な送信及び／又は受信を実行するには小さすぎる筐体内に適合するように設計される、
デバイスが基地局から遠く離れて配置される、又は
基地局とデバイスとの間に障害物が入り込む（例えば、デバイスが建物内に配置される場合）、あるいは
デバイスのバッテリ電源が制限されている（例えば、制限されたピーク電力及び／又は平均ＴＸ電力）。
【０００６】
リンクバジェットが制限されたＵＥは、特に、基地局が送信したページングメッセージを見過ごしやすいという弱点がある。従って、リンクバジェットが制限されたＵＥデバイスによるページングメッセージの受信が成功する尤度を向上させることが可能な機構が必要である。更に、ネットワークがページング手順を正常に完了するのを支援するためのページング拡張機構を起動するように、ＵＥデバイスが自身のリンクバジェットが制限されているか否かをネットワークに通知するのに使用する機構が必要である。実現例を容易にするために、ＬＴＥネットワーク容量への影響が最小限であるか又は全くなく、且つ／あるいはＬＴＥ物理層への影響が最小限であるか又は全くない等、そのような機構が既存のＬＴＥ仕様書に準拠できれば（及び／又は既存のＬＴＥ仕様書から容易に拡張可能であれば）非常に望ましい。
【発明の概要】
【０００７】
実施形態の１つの集合において、無線ネットワークの基地局は、リンクバジェットが制限されたＵＥデバイスのページングメッセージを正常に復号する能力を強化するために、１つ以上のページング拡張機構を使用してリンクバジェットが制限されたＵＥデバイスをページングする。（種々の実施形態は、ページング処理の種々の要素の拡張、例えばページング制御情報の拡張及び／又はページングペイロード情報の拡張を目標にする。）例えば基地局は、リンクバジェットが制限されたＵＥデバイスが複数の送信にわたり受信したデータレコードを合成する機会を有することになるように、ページングメッセージを複数回送信する。それにより、ページングメッセージの復号が成功する尤度が向上する。別の例として、基地局は、ページングメッセージをリンクバジェットが制限されていないＵＥデバイスに送信するために使用される電力より高い電力でページングメッセージを送信する。電力増加は、ページング制御情報及び／又はページングメッセージのページングペイロードに適用される。更に別の例として、基地局は、特別なＰ−ＰＮＴＩを使用してページングメッセージをリンクバジェットが制限されたＵＥデバイスに送信し、リンクバジェットが制限されていないＵＥデバイス（及び従来のＵＥデバイス）は、従来のＰ−ＲＮＴＩ（例えば、ＬＴＥ仕様書において規定された既存のＰ−ＲＮＴＩ）を使用してページングされる。Ｐ−ＲＮＴＩは、ページング−無線ネットワーク一時識別子の略字である。
【０００８】
いくつかの実施形態において、ＵＥデバイスは、ネットワーク内のノードに対する要求の一部として、自身がリンクバジェットが制限されている（ＬＢＬ）か否かをシグナリングする。（要求は、トラッキングエリア更新及び／又はネットワークへのアタッチの要求である。）次にネットワークノードは、ＵＥデバイスに対するページングメッセージの一部として、そのステータス通知信号を基地局に通信する。基地局は、ページングメッセージを受信し、ページングメッセージが、リンクバジェットが制限されたＵＥデバイスと関連付けられていることを検出することに応答して（例えば、ステータス通知信号に基づいて）、１つ以上のページング拡張機構を使用してリンクバジェットが制限されたＵＥデバイスをページングする。
【０００９】
ＵＥデバイスは、種々の方法のうちのいずれかで、自身のステータスをＬＢＬデバイス又は非ＬＢＬデバイスとしてシグナリングする。例えばＵＥデバイスは、自身がＬＢＬであるか否かを示すフラグを送信する。フラグは、ネットワークに対する要求の一部としてノードに送信される。別の例として、リンクバジェットが制限されたＵＥデバイスは、ネットワークに対する要求の一部としてＤＲＸサイクルの特殊値を送信する。その場合、特殊値は、ＬＢＬステータスの信号として使用される。（非ＬＢＬデバイスは、トラッキングエリア更新及び／又はアタッチ要求を送出する際には特殊値の使用を回避するように構成される。）ネットワークノードは、ページングメッセージの一部としてＤＲＸサイクルの特殊値を基地局に送信する。
【００１０】
いくつかの実施形態において、所定のＵＥデバイスがリンクバジェットが制限されているという信号を受信することに応答して、無線ネットワークのノードは、Ｓ−ＴＭＳＩ値（又は他の一時識別子値）をＵＥデバイスに割り当てる。その場合、割り当てられる値は、とり得るＳ−ＴＭＳＩ値の空間の予約済みの部分集合から選択される。（ＵＥデバイスは、本明細書において開示される種々の方法のうちのいずれかで、ＬＢＬステータスの信号をノードに提供する。）予約済みの部分集合のＳ−ＴＭＳＩ値は、リンクバジェットが制限されたＵＥデバイスへの割り当てに備えて予約されている。（非ＬＢＬデバイスは、予約済みの部分集合の補集合からＳ−ＴＭＳＩ値を割り当てられる。）ネットワークノードは、プロトコルメッセージを送信してＵＥデバイスをページングする場合、当該ＵＥデバイスについての割り当てられたＳ−ＴＭＳＩをプロトコルメッセージに含める。基地局は、予約済みの部分集合の定義を認識している。従って、基地局は、プロトコルメッセージを受信する場合、予約済みの部分集合に属するＳ−ＴＭＳＩ値により、ページング対象のＵＥデバイスがリンクバジェットが制限されていると判定する。基地局は、その後、本明細書において開示されるページング拡張機構のうちのいずれか１つ以上を使用してＵＥデバイスをページングする。
【００１１】
いくつかの実施形態において、基地局は、所定のＵＥデバイスのいずれかがリンクバジェットが制限されているか否かを認識せずに、ＵＥデバイスをページングする。従って、基地局は、ＬＢＬデバイスだけでなく非ＬＢＬデバイスのページングも拡張させるページング機構を採用する。例えば一実施形態において、基地局は、所定のＵＥデバイスを対象とした多数のプロトコルメッセージのカウントを維持し、カウントが閾値Ｎに到達した場合、ＵＥデバイスを対象とした以下のページングメッセージのいずれかの送信電力を増大させ始める。
【００１２】
実施形態の１つの集合において、リンクバジェットが制限されているユーザ機器（ＵＥ）デバイスのページングを容易にするように基地局を動作する方法は、以下の通り実行される。
【００１３】
基地局は、ダウンリンクデータストリームの特定のフレームに含まれる特定のサブフレームの制御チャネルにおいて第１のページング識別子を送信する。第１のページング識別子は、リンクバジェットが制限されたＵＥデバイス専用であり、通常のＵＥデバイス（即ち、リンクバジェットが制限されていないＵＥデバイス）に対して使用される第２のページング識別子とは異なる。特定のフレーム及び特定のサブフレームは、ページングされる１つ以上のリンクバジェットが制限されたＵＥデバイスと関連付けられたページング機会インジケータ及びページングフレームインジケータに基づいて、ダウンリンクデータストリームから選択される。
【００１４】
基地局は、特定のフレームの特定のサブフレームにおいて１つ以上のリンクバジェットが制限されたＵＥデバイスに対するページングペイロード情報を送信する。
【００１５】
基地局は、特定のサブフレームの後に連続して後続する１つ以上のサブフレームの各々において同一のページングペイロード情報を送信する。
【００１６】
通常のＵＥデバイスが使用するのとは異なるページング識別子を使用することにより、基地局は、特定のフレーム（即ち、ページングフレーム）内でページングペイロード情報を繰り返し送信するためにより多くのサブフレームを割り当てることができる。例えばいくつかの実施形態において、ページング機会における初期ペイロード送信の後に、繰り返しのペイロード送信について最大４個の連続したサブフレームが後続する。
【００１７】
いくつかの実施形態において、１つ以上のリンクバジェットが制限されたＵＥの各々は、基地局による新しいページングの開始を求めてスキャンするＤＲＸスーパーサイクル毎に１回起動するように構成される。ＤＲＸスーパーサイクルは、通常のＵＥデバイス（即ち、リンクバジェットが制限されていないＵＥデバイス及び／又は従来のＵＥデバイス）によって使用されるＤＲＸサイクルのＮＳＣ倍に等しい。リンクバジェットが制限された各ＵＥデバイスは、加入者識別番号を使用してページングフレーム（ＰＦ）インジケータ及びページング機会（ＰＯ）インジケータを算出し、ＰＦインジケータ及びＰＯインジケータと一致する特定のフレームの特定のサブフレームにおいてＤＲＸスーパーサイクル毎に１回起動する。リンクバジェットが制限されたＵＥデバイスが種々の加入者識別番号（例えば、ＩＭＳＩ値）を有するため、リンクバジェットが制限されたＵＥデバイスに割り当てられたページングフレームは、時間的に分散される。
【００１８】
リンクバジェットが制限されたＵＥデバイスは、特定のフレームの特定のサブフレームの制御チャネルにおいて第１のページング識別子の存在を求めてスキャンする。その存在は新しいページングの開始を示す。
【００１９】
基地局は、特定のフレームの後にｎＤＲＸ、２ｎＤＲＸ、３ｎＤＲＸ、．．．、（ＮＳＣ−１）ｎＤＲＸ個のフレームをそれぞれ発生させる複数のフレームの各々においてページングペイロード情報の追加インスタンス（即ち、特定のフレームに既に含まれているインスタンスに加えて）を送信する。ｎＤＲＸは、ＤＲＸサイクルにおけるフレームの数である。ページングメッセージが対象とする全てのリンクバジェットが制限されたＵＥデバイスがネットワークにアクセスしている（ランダムアクセス手順を使用して）場合、基地局は追加インスタンスの送信を停止する。上述したようにＮＳＣ−１個のフレームを使用することにより、リンクバジェットが制限されたＵＥデバイスは、実質的により多くのページングペイロード情報の繰り返しを合成できるため、リンクマージンを更に向上できる。
【００２０】
尚、本明細書において説明される技術は、基地局、アクセスポイント、携帯電話、ポータブルメディアプレーヤ、タブレットコンピュータ、ウェアラブルデバイス及び他の種々の演算装置を含むがそれらに限定されない多数の異なる種類のデバイスにおいて実現され、且つ／あるいはそれらと共に使用される。
【００２１】
この発明の概要は、本明細書において説明される主題のうちのいくつかの概略を提供することを意図する。従って、上述の特徴は例にすぎず、且つ本明細書においてあらゆる形態で説明される主題の範囲又は趣旨を狭めるものと解釈されるべきではないことが理解されるだろう。本明細書において説明される主題の他の特徴、態様及び利点は、以下の詳細な説明、図面及び特許請求の範囲から明らかとなるだろう。
【図面の簡単な説明】
【００２２】
実施形態の以下の詳細な説明が以下の図面と共に考慮される場合、本主題をより適切に理解できる。
【００２３】
【図１Ａ】図１Ａは、いくつかの実施形態に係る無線通信システムの一例を示す図である。
【００２４】
【図１Ｂ】図１Ｂは、いくつかの実施形態に係る３つの無線デバイス１０６１、１０６２及び１０６３と通信している基地局１０２の一例を示す図である。
【００２５】
【図２】図２は、いくつかの実施形態に係る無線デバイスと通信している基地局（「ＢＳ」、あるいはＬＴＥのコンテキストにおいて「ｅＮｏｄｅＢ」又は「ｅＮＢ」）を示す図である。
【００２６】
【図３】図３は、いくつかの実施形態に係る無線通信システムを示すブロック図である。
【００２７】
【図４】図４は、いくつかの実施形態に係る基地局を示すブロック図である。
【００２８】
【図５Ａ】、
【図５Ｂ】、
【図５Ｃ】図５Ａ〜図５Ｃは、従来技術に係るＮＳ＝１、２及び４のそれぞれに対するページング機会を示す図である。
【００２９】
【図６】図６は、いくつかの実施形態に係るリンクバジェットが制限されたＵＥデバイスのページングを容易にするように基地局を動作させる方法を示す図である。
【００３０】
【図７Ａ】図７Ａは、いくつかの実施形態に係るページングペイロード情報の（ページング機会０における）初期送信及び４回繰り返される送信の一例を示す図である。
【００３１】
【図７Ｂ】図７Ｂは、いくつかの実施形態に係るページングペイロード情報の（ページング機会５における）初期送信及び４回繰り返される送信の一例を示す図である。
【００３２】
【図８】図８は、いくつかの実施形態に係る基地局からページングメッセージを受信するようにリンクバジェットが制限されたＵＥデバイスを動作させる方法を示す図である。
【００３３】
【図９】図９は、いくつかの実施形態に係る従来にないページング識別子を使用してリンクバジェットが制限されたＵＥデバイスのページングを容易にするように基地局を動作させる方法を示す図である。
【００３４】
【図１０】図１０は、従来にないＰ−ＲＮＴＩ（ページング−無線ネットワーク一時識別子）を含むページングメッセージを受信するいくつかの実施形態に係る方法を示す図である。
【００３５】
【図１１】図１１は、多数のとり得る値の予約済みの部分集合からの一時ＵＥ識別子の割り当てを含むページングメッセージの一部として、ＵＥデバイスのリンクバジェット制限ステータスをシグナリングするためにネットワークノードを動作させるいくつかの実施形態に係る方法を示す図である。
【００３６】
【図１２】図１２は、受信したページングメッセージにおける一時ＵＥ識別子に基づいてＵＥデバイスのリンクバジェット制限ステータスを判定するために基地局を動作するいくつかの実施形態に係る方法を示す図である。
【００３７】
【図１３】図１３は、ＬＢＬデバイスに対してページングメッセージを繰り返し送信するために基地局を動作するいくつかの実施形態に係る方法を示す図である。
【００３８】
【図１４】図１４は、基地局が繰り返し送信するページングメッセージを受信するいくつかの実施形態に係る方法を示す図である。
【００３９】
【図１５】図１５は、ネットワークノードからＮ個のプロトコルメッセージが送信された後又はＮ個の先行する送信失敗の後にＵＥデバイスに送信されるページングメッセージの送信電力を増大させるために基地局を動作するいくつかの実施形態に係る方法を示す図である。
【００４０】
【図１６】図１６は、リンクバジェットが制限されたＵＥデバイスが、ＬＢＬデバイスとしての自身のステータスを無線ネットワーク内のノードにシグナリングできるようにする、ＤＲＸサイクルの特殊値の送信を含むいくつかの実施形態に係る方法を示す図である。
【００４１】
【図１７】図１７は、基地局が、受信したページングメッセージにおける特殊なＤＲＸサイクル値の存在に基づいてページングされるＵＥデバイスのＬＢＬステータスを認識できるようにするいくつかの実施形態に係る方法を示す図である。
【００４２】
【図１８】図１８は、リンクバジェットが制限されたＵＥデバイスが、ＬＢＬであるという自身のステータスを無線ネットワーク内のノードにシグナリングできるようにする、トラッキングエリア更新及び／又はアタッチされた要求の一部としてステータス−信号伝送フラグを含むことを含むいくつかの実施形態に係る方法を示す図である。
【００４３】
【図１９】図１９は、基地局が、受信したページングメッセージにおけるステータス−信号伝送フラグの存在に基づくＵＥデバイスのＬＢＬステータスを判定できるようにするいくつかの実施形態に係る方法を示す図である。
【００４４】
本明細書において説明される特徴は、種々の変形及び別の形式に影響されやすく、その特定の実施形態を図中に例として示し、本明細書において詳細に説明する。しかし、図面及び詳細な説明は、開示される特定の形式に限定されることを意図せず、逆に本発明は、添付の特許請求の範囲により規定されるように主題の趣旨及び範囲内の全ての変形、等価物、並びに代替物を範囲に含むことが理解されるべきである。
【発明を実施するための形態】
【００４５】
略字
本開示を通して、種々の略字が使用される。本開示中に現れる最も顕著に使用される略字の定義を以下に提供する。
【００４６】
ＢＳ：基地局
【００４７】
Ｃ−ＤＲＸ：接続状態ＤＲＸ
【００４８】
ＤＬ：ダウンリンク
【００４９】
ＤＲＸ：間欠受信
【００５０】
ＩＥ：情報エレメント
【００５１】
ＩＭＳＩ：国際移動加入者識別番号
【００５２】
ＬＢＬ：リンクバジェットが制限された
【００５３】
ＬＴＥ：ロングタームエボリューション
【００５４】
ＭＩＢ：マスタ情報ブロック
【００５５】
ＭＭＥ：モビリティ管理エンティティ
【００５６】
ＭＳ：移動局
【００５７】
ＮＷ：ネットワーク
【００５８】
ＯＦＤＭ：直交周波数分割多重
【００５９】
ＯＦＤＭＡ：直交周波数分割多元接続
【００６０】
ＰＤＣＣＨ：物理ダウンリンク制御チャネル
【００６１】
ＰＤＳＣＨ：物理ダウンリンク共有チャネル
【００６２】
ＰＲＡＣＨ：物理ランダムアクセスチャネル
【００６３】
Ｐ−ＲＮＴＩ：ページングＲＮＴＩ
【００６４】
ＰＵＣＣＨ：物理アップリンク制御チャネル
【００６５】
ＰＵＳＣＨ：物理アップリンク共有チャネル
【００６６】
ＲＡＣＨ：ランダムアクセス手順又はランダムアクセスチャネル
【００６７】
ＲＡＴ：無線アクセス技術
【００６８】
ＲＲＣ：無線リソース制御
【００６９】
ＲＲＣ  ＩＥ：ＲＲＣ情報エレメント
【００７０】
ＲＮＴＩ：無線ネットワーク一時識別子
【００７１】
ＲＸ：受信
【００７２】
ＳＡＥ：システムアーキテクチャエボリューション、即ちＬＴＥにおけるシステムアーキテクチャ
【００７３】
Ｓ１ＡＰ：Ｓ１アプリケーションプロトコル
【００７４】
ＳＦＮ：システムフレーム番号
【００７５】
ＳＩＢ：システム情報ブロック
【００７６】
ＳＩＢｎ：タイプｎのシステム情報ブロック
【００７７】
Ｓ−ＴＭＳＩ：ＳＡＥ−一時移動加入者識別番号
【００７８】
ＴＡＩ：トラッキングエリア識別子
【００７９】
ＴＴＩ：送信時間間隔
【００８０】
ＴＸ：送信
【００８１】
ＵＥ：ユーザ機器
【００８２】
ＵＥ：アップリンク
【００８３】
ＵＭＴＳ：ユニバーサル移動通信システム
【００８４】
ＵＳＩＭ：汎用加入者識別モジュール
【００８５】
３ＧＰＰ：第３世代パートナーシッププロジェクト
【００８６】
用語
以下は、本開示において使用される用語の用語集である。
【００８７】
「記憶媒体」−あらゆる種々の非一時的なメモリエレメント又は記憶装置。「記憶媒体」という用語は、インストール媒体、例えばＣＤ−ＲＯＭ、フロッピディスク又はテープデバイス、例えばＤＲＡＭ、ＤＤＲ  ＲＡＭ、ＳＲＡＭ、ＥＤＯ  ＲＡＭ、ラムバスＲＡＭ等のコンピュータシステムメモリ又はランダムアクセスメモリ、不揮発性メモリ、例えばハードドライブ又は光記録媒体等のＦｌａｓｈ、磁気媒体、レジスタ又は他の同種の記憶エレメント等を含むことを意図する。記憶媒体は、他の種類の非一時的なメモリ又はそれらの組み合わせを含んでもよい。また、記憶媒体は、プログラムが実行される第１のコンピュータシステム又はインターネット等のネットワークを介して第１のコンピュータシステムに接続する第２の異なるコンピュータシステムに配置される。後者の例において、第２のコンピュータシステムは、実行のためにプログラム命令を第１のコンピュータに提供する。「記憶媒体」という用語は、種々の場所、例えばネットワークを介して接続される種々のコンピュータシステムに常駐する２つ以上の記憶媒体を含む。記憶媒体は、１つ以上のプロセッサにより実行されるプログラム命令（例えば、コンピュータプログラムとして実施される）を格納する。
【００８８】
「搬送媒体」−上述したような記憶媒体、並びに例えばバス、ネットワーク及び／又は電気信号、電磁信号又はデジタル信号等の信号を搬送する他の物理送信媒体。
【００８９】
「プログラマブルハードウェアエレメント」−プログラム可能な相互接続を介して接続された複数のプログラマブル機能ブロックを含む種々のハードウェアデバイスを含む。例えば、ＦＰＧＡ（フィールドプログラマブルゲートアレイ）、ＰＬＤ（プログラマブルロジックデバイス）、ＦＰＯＡ（フィールドプログラマブルオブジェクトアレイ）及びＣＰＬＤ（複合ＰＬＤ）を含む。プログラマブル機能ブロックは、細粒度（組み合わせ論理又はルックアップテーブル）から粗粒度（演算論理装置又はプロセッサコア）にまでわたる。プログラマブルハードウェアエレメントを「再構成可能な論理」と呼んでもよい。
【００９０】
「コンピュータシステム」−パーソナルコンピュータシステム（ＰＣ）、メインフレームコンピュータシステム、ワークステーション、ネットワークアプライアンス、インターネットアプライアンス、パーソナルデジタルアシスタント（ＰＤＡ）、テレビジョンシステム、グリッドコンピューティングシステム又は他のデバイス、あるいはデバイスの組み合わせを含むあらゆる種々のコンピューティングシステム又は処理システム。一般に、「コンピュータシステム」という用語は、記憶媒体からの命令を実行する少なくとも１つのプロセッサを有するあらゆるデバイス（又はデバイスの組み合わせ）を含むように広く規定される。
【００９１】
「ユーザ機器（ＵＥ）（又は「ＵＥデバイス」）」−モバイル又はポータブルであり、且つ無線通信を実行するあらゆる種々のコンピュータシステムデバイス。ＵＥデバイスの例は、移動電話又はスマートフォン（例えば、ｉＰｈｏｎｅ（登録商標）、Ａｎｄｒｏｉｄ（登録商標）を用いた電話）、携帯ゲーム機（例えば、任天堂ＤＳ、プレイステーションポータブル、ゲームボーイアドバンス、ｉＰｈｏｎｅ）、ラップトップ、ＰＤＡ、ポータブルインターネットデバイス、ミュージックプレーヤ、データ記憶装置、他のハンドヘルドデバイス、ウェアラブルデバイス（例えば、スマートウォッチ）等を含む。一般に、「ＵＥ」又は「ＵＥデバイス」という用語は、ユーザにより容易に搬送され且つ無線通信が可能なあらゆる電子デバイス、コンピューティングデバイス及び／又は電気通信デバイス（あるいは、デバイスの組み合わせ）を含むように広く規定される。
【００９２】
「基地局」−「基地局」という用語は、その一般的な全ての意味を有し、固定の場所に設置され且つ無線電話システム又は無線システムの一部として通信するために使用される無線通信局を少なくとも含む。
【００９３】
「処理エレメント」−種々のエレメント又はエレメントの組み合わせを示す。処理エレメントは、例えばＡＳＩＣ（特定用途向け集積回路）、個々のプロセッサコアの部分又は回路、プロセッサコア全体、個々のプロセッサ、フィールドプログラマブルゲートアレイ（ＦＰＧＡ）等のプログラマブルハードウェアデバイス、並びに／あるいは複数のプロセッサを含むシステムの大部分を含む。
【００９４】
「チャネル」−送出機（送信機）から受信機に情報を搬送するために使用される媒体。尚、「チャネル」という用語の特徴は種々の無線プロトコルによって異なるため、本明細書において使用されるような「チャネル」という用語は、用語が使用される時に参照するデバイスの種類の規格に一致する方法で使用されるものとして考えられる。いくつかの規格において、チャネル幅は可変である（例えば、デバイス機能、帯域条件等に依存して）。例えばＬＴＥは、１．４ＭＨｚ〜２０ＭＨｚのスケーラブルチャネル帯域幅をサポートする。これに対して、ＷＬＡＮチャネルは２２ＭＨｚ幅であり、Ｂｌｕｅｔｏｏｔｈ（登録商標）チャネルは１ＭＨｚ幅である。他のプロトコル及び規格は、チャネルの種々の定義を含む。また、いくつかの規格は、複数の種類のチャネル、例えばアップリンク又はダウンリンク用の種々のチャネル、並びに／あるいは例えばデータ、制御情報等の種々の用途の種々のチャネルを規定及び使用する。
【００９５】
「帯域」−「帯域」という用語は、その一般的な全ての意味を有し、チャネルが同一の目的以外で使用又は設定されるスペクトル（例えば、無線周波数スペクトル）の部分を少なくとも含む。
【００９６】
「リンクバジェットが制限された」−その一般的な全ての意味を有し、リンクバジェットが制限されていないデバイス、あるいは無線アクセス技術（ＲＡＴ）規格が開発されているデバイスと比較して制限された通信機能又は制限された電力を示す無線デバイス（ＵＥ）の特徴を少なくとも含む。リンクバジェットが制限されているＵＥは、例えばデバイス設計、デバイスサイズ、バッテリサイズ、アンテナのサイズ又は設計、送信電力、受信電力、現在の送信媒体の状態、並びに／あるいは他の要因等の１つ以上の要因のために、相対的に制限された受信機能及び／又は送信機能を体験する。本明細書において、そのようなデバイスを「リンクバジェットが制限された（link budget limited）」（又は「リンクバジェットが限定された（link budget constrained）」）デバイスと呼ぶ。デバイスは、そのサイズ、バッテリ電源及び／又は送信／受信電力のために、実質的にリンクバジェットが制限されている。例えば、ＬＴＥ又はＬＴＥ−Ａを介して基地局と通信しているスマートウォッチは、その低減された送信／受信電力及び／又は低減されたアンテナのために、実質的にリンクバジェットが制限されている。あるいは、デバイスは、実質的にリンクバジェットが制限されておらず、例えばＬＴＥ又はＬＴＥ−Ａを介した通常の通信に対して十分なサイズ、バッテリ電源、並びに／あるいは送信／受信電力を有するが、例えばスマートフォンがセルの境界にある等の現在の通信状態のために一時的にリンクバジェットが制限されている恐れがある。尚、「リンクバジェットが制限された」という用語は電力制限を含むため、電力が制限されたデバイスはリンクバジェットが制限されたデバイスであると考えられる。
【００９７】
「自動的に」−動作又は動作を直接指定、あるいは実行するユーザ入力なしで、コンピュータシステム（例えば、コンピュータシステムにより実行されるソフトウェア）又はデバイス（例えば、回路、プログラマブルハードウェアエレメント、ＡＳＩＣ等）により実行される動作又は動作を示す。従って、「自動的に」という用語は、ユーザが入力を提供して直接動作を実行するユーザにより手動で実行又は指定される動作とは対照的である。自動手順は、ユーザが提供する入力により開始するが、「自動的に」実行される後続の動作は、ユーザにより指定されず、即ち「手動で」実行されない。その場合、ユーザは実行する各動作を指定する。例えば、コンピュータシステムがユーザ動作に応答して電子式フォームを更新しなければならないにもかかわらず、各欄を選択し且つ情報を指定する入力を提供することにより（例えば、情報をタイプ入力する、チェックボックス、無線選択を選択すること等により）フォームに記入するユーザは、手動でフォームに記入している。フォームは、コンピュータシステムにより自動的に記入される。その場合、コンピュータシステム（例えば、コンピュータシステム上で実行するソフトウェア）は、欄に対する回答を指定するユーザ入力なしでフォームの欄を解析し、フォームを記入する。上述したように、ユーザは、フォームの自動記入を呼び出してもよいが、フォームの実際の記入には関与しない（例えばユーザは、欄に対する回答を手動で指定しておらず、むしろ欄は自動的に完成されている）。本明細書は、ユーザが行った動作に応答して自動的に実行されている動作の種々の例を提供する。
【００９８】
図１Ａ−無線通信システム
図１Ａは、実施形態の１つの集合に係る無線通信システムを示す。尚、図１Ａは、多数の中の１つの可能性を示し、本開示の特徴は、要望に応じて種々のシステムのうちのどれにおいても実現される。
【００９９】
図示されるように、例示的な無線システムは、送信媒体を介して１つ以上の無線デバイス１０６Ａ、１０６Ｂ等〜１０６Ｎと通信する基地局１０２Ａを含む。無線デバイスは、本明細書において「ユーザ機器」（ＵＥ）又はＵＥデバイスと呼ばれるユーザデバイスである。
【０１００】
基地局１０２は、基地局トランシーバ（ＢＴＳ）又はセルサイトであり、ＵＥデバイス１０６Ａ〜１０６Ｎとの無線通信を可能にするハードウェアを含む。更に基地局１０２は、ネットワーク１００（例えば、種々の可能性のうち、セルラサービスプロバイダのコアネットワーク、公衆交換電話網（ＰＳＴＮ）等の電気通信ネットワーク及び／又はインターネット）と通信する能力が備わっている。従って、基地局１０２は、ＵＥデバイス１０６間及び／又はＵＥデバイス１０６とネットワーク１００との間の通信を容易にする。
【０１０１】
基地局１０２の通信領域（又はカバレッジ領域）を「セル」と呼ぶ。基地局１０２及びＵＥ１０６は、種々の無線アクセス技術（ＲＡＴ）又は例えばＧＳＭ（登録商標）、ＵＭＴＳ（ＷＣＤＭＡ（登録商標）、ＴＤＳ−ＣＤＭＡ）、ＬＴＥ、ＬＴＥ−Ａｄｖａｎｃｅｄ（ＬＴＥ−Ａ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）、Ｗｉ−Ｆｉ、ＷｉＭＡＸ等のうちのいずれかを使用して送信媒体を介して通信するように構成される。
【０１０２】
従って、１つ以上のセルラ通信技術に従って動作する基地局１０２及び他の同様の基地局（不図示）は、１つ以上のセルラ通信技術により広範な地域にわたり連続した又はほぼ連続した重複するサービスをＵＥデバイス１０６Ａ〜Ｎ及び同様のデバイスに提供するセルのネットワークとして提供される。
【０１０３】
従って、基地局１０２は、図１Ａに示されたような無線デバイス１０６Ａ〜Ｎに対する「サービングセル」をここでは示し、更に各ＵＥデバイス１０６は、「隣接セル」と呼ばれる１つ以上の他のセル（例えば、他の基地局が提供するセル）から信号を受信できる。更にそのようなセルは、ユーザデバイス間及び／又はユーザデバイスとネットワーク１００との間の通信を容易にできる。
【０１０４】
図１Ｂは、いくつかの実施形態に係る３つの無線デバイス１０６１、１０６２及び１０６３と通信している基地局１０２の一例を示す。無線デバイス１０６１、１０６２及び１０６３は、上述及び／又は後述の無線デバイスのあらゆる組み合わせにより実現される。
【０１０５】
尚、少なくともいくつかの例において、ＵＥデバイス１０６は、複数の無線通信技術を使用して通信できる。例えばＵＥデバイス１０６は、ＧＳＭ、ＵＭＴＳ、ＣＤＭＡ２０００、ＷｉＭＡＸ、ＬＴＥ、ＬＴＥ−Ａ、ＷＬＡＮ、Ｂｌｕｅｔｏｏｔｈ、１つ以上のグローバルナビゲーション衛星システム（ＧＮＳＳ、例えばＧＰＳ又はＧＬＯＮＡＳＳ）、１つ及び／又は１つ以上のモバイルテレビ放送規格（例えば、ＡＴＳＣ−Ｍ／Ｈ又はＤＶＢ−Ｈ）等のうちの２つ以上を使用して通信するように構成される。無線通信技術の他の組み合わせ（３つ以上の無線通信技術を含む）も可能である。同様に、いくつかの例において、ＵＥデバイス１０６は、単一の無線通信技術のみを使用して通信するように構成される。
【０１０６】
図２は、いくつかの実施形態に係る基地局１０２と通信しているＵＥデバイス１０６（例えば、デバイス１０６Ａ〜１０６Ｎのうちの１つ）を示す。ＵＥデバイス１０６は、セルラ通信機能を有し、上述したように、移動電話、ハンドヘルドデバイス、メディアプレーヤ、コンピュータ、ラップトップ又はタブレット、ウェアラブルデバイス（例えば、スマートウォッチ又はスマートグラス）、あるいは事実上あらゆる種類の無線デバイス等のデバイスであってもよい。
【０１０７】
ＵＥデバイス１０６は、メモリに格納されたプログラム命令を実行するように構成されるプロセッサを含む。ＵＥデバイス１０６は、そのような格納された命令を実行することにより、本明細書において説明される方法の実施形態のうちのいずれかを実行する。あるいは又は更に、ＵＥデバイス１０６は、本明細書において説明される方法の実施形態のうちのいずれか又は本明細書において説明される方法の実施形態のうちのいずれかのあらゆる部分を実行するように構成されるＦＰＧＡ（フィールドプログラマブルゲートアレイ）等のプログラマブルハードウェアエレメントを含む。
【０１０８】
いくつかの実施形態において、ＵＥデバイス１０６は、複数の無線アクセス技術及び／又は無線通信プロトコルのうちのいずれかを使用して通信するように構成される。例えばＵＥデバイス１０６は、ＧＳＭ、ＵＭＴＳ、ＣＤＭＡ２０００、ＬＴＥ、ＬＴＥ−Ａ、ＷＬＡＮ、ＷｉＦｉ、ＷｉＭＡＸ又はＧＮＳＳのうちの１つ以上を使用して通信するように構成される。無線通信技術の他の組み合わせも可能である。
【０１０９】
ＵＥデバイス１０６は、１つ以上の無線通信プロトコル又は技術を使用して通信する１つ以上のアンテナを含む。一実施形態において、ＵＥデバイス１０６は、単一の共有無線装置を使用して通信するように構成される。共有無線装置は、無線通信を実行するために単一のアンテナ又は複数のアンテナ（例えば、ＭＩＭＯ用）に接続される。あるいは、ＵＥデバイス１０６は２つ以上の無線装置を含んでもよい。例えばＵＥ１０６は、ＬＴＥ又は１ｘＲＴＴ（あるいは、ＬＴＥ又はＧＳＭ）を使用して通信する共有無線装置と、Ｗｉ−Ｆｉ及びＢｌｕｅｔｏｏｔｈの各々を使用して通信する別個の無線装置とを含んでもよい。他の構成も可能である。
【０１１０】
図３−ＵＥのブロック図の例
図３は、いくつかの実施形態に係るＵＥ１０６を示すブロック図である。図示されるように、ＵＥ１０６は、種々の目的のための部分を含むシステムオンチップ（ＳＯＣ）３００を含む。例えば、図示されるように、ＳＯＣ３００は、ＵＥ１０６に対するプログラム命令を実行する（１つ以上の）プロセッサ３０２と、グラフィックス処理を実行し且つ表示信号を表示装置３４０に提供する表示回路３０４とを備える。プロセッサ３０２は、プロセッサ３０２からアドレスを受信し、且つこれらのアドレスをメモリ（例えば、メモリ３０６、読み出し専用メモリ（ＲＯＭ）３５０、ＮＡＮＤフラッシュメモリ３１０）における場所に移すように構成されるメモリ管理ユニット（ＭＭＵ）３４０に更に接続される。ＭＭＵ３４０は、メモリ保護及びページテーブルの変換又は設定を実行するように構成される。いくつかの実施形態において、ＭＭＵ３４０は、プロセッサ３０２の一部として含まれる。
【０１１１】
ＵＥ１０６は、例えば表示回路３０４、無線装置３３０、コネクタＩ／Ｆ３２０及び／又は表示装置３４０等の他の回路又はデバイスを更に含む。
【０１１２】
図示される実施形態において、ＲＯＭ３５０は、立ち上げ又は初期化中にプロセッサ３０２により実行されるブートローダを含む。更に図示されるように、ＳＯＣ３００は、ＵＥ１０６の種々の他の回路に接続される。例えばＵＥ１０６は、種々のメモリ（例えば、ＮＡＮＤフラッシュ３１０を含む）と、コネクタインタフェース３２０（例えば、コンピュータシステムに接続する）と、表示装置３４０と、（例えば、ＬＴＥ、ＣＤＭＡ２０００、Ｂｌｕｅｔｏｏｔｈ、ＷｉＦｉ、ＧＰＳ等を使用する通信のための）無線通信回路とを含む。
【０１１３】
ＵＥデバイス１０６は、基地局及び／又は他のデバイスとの無線通信を実行する少なくとも１つのアンテナ、並びにいくつかの実施形態においては複数のアンテナを含む。例えばＵＥデバイス１０６は、無線通信を実行するためにアンテナ３３５を使用する。上述したように、ＵＥは、いくつかの実施形態において複数の無線通信規格を使用して無線で通信するように構成される。
【０１１４】
本明細書において上述したように、ＵＥ１０６は、本開示の実施形態に従って拡張したページングに応答する方法を実現するハードウェアコンポーネント及び／又はソフトウェアコンポーネントを含む。
【０１１５】
ＵＥデバイス１０６のプロセッサ３０２は、例えば記憶媒体（例えば、非一時的なコンピュータ可読記憶媒体）に格納されたプログラム命令を実行することにより、本明細書において説明される方法の一部又は全てを実現するように構成される。他の実施形態において、プロセッサ３０２は、ＦＰＧＡ（フィールドプログラマブルゲートアレイ）等のプログラマブルハードウェアエレメント又はＡＳＩＣ（特定用途向け集積回路）として構成される。
【０１１６】
図４−基地局
図４は、いくつかの実施形態に係る基地局１０２を示す。尚、図４の基地局は、考えられる基地局の一例にすぎない。図示されるように、基地局１０２は、基地局１０２に対するプログラム命令を実行する（１つ以上の）プロセッサ４０４を備える。プロセッサ４０４は、プロセッサ４０４からアドレスを受信し、且つこれらのアドレスをメモリ（例えば、メモリ４６０及び読み出し専用メモリ（ＲＯＭ）４５０）における場所、あるいは他の回路又はデバイスに移すように構成されるメモリ管理ユニット（ＭＭＵ）４４０に更に接続される。
【０１１７】
基地局１０２は、少なくとも１つのネットワークポート４７０を含む。ネットワークポート４７０は、電話網に接続され、且つＵＥデバイス１０６等の複数のデバイスに上述したような電話網へのアクセスを提供するように構成される。
【０１１８】
更に又はあるいは、ネットワークポート４７０（又は追加のネットワークポート）は、セルラサービスプロバイダのコアネットワーク等のセルラネットワークに接続するように構成される。コアネットワークは、モビリティ関連サービス及び／又は他のサービスをＵＥデバイス１０６等の複数のデバイスに提供する。いくつかの例において、ネットワークポート４７０は、コアネットワークを介して電話網に接続し、及び／又はコアネットワークは、（例えば、セルラサービスプロバイダがサービスする他のＵＥデバイス間の）電話網を提供する。
【０１１９】
基地局１０２は、無線装置４３０と、通信チェーン４３２と、少なくとも１つのアンテナ４３４とを含む。基地局は、無線送受信機として動作するように構成され、無線装置４３０、通信チェーン４３２及び少なくとも１つのアンテナ４３４を介してＵＥデバイス１０６と通信するように更に構成される。通信チェーン４３２は、受信チェーン、送信チェーン又はそれら双方である。無線装置４３０は、ＧＳＭ、ＵＭＴＳ、ＬＴＥ、ＷＣＤＭＡ、ＣＤＭＡ２０００、ＷｉＭＡＸ等を含むがそれらに限定されない種々のＲＡＴを介して通信するように構成される。
【０１２０】
基地局１０２のプロセッサ４０４は、例えば記憶媒体（例えば、非一時的なコンピュータ可読記憶媒体）に格納されたプログラム命令を実行することにより、本明細書において説明される方法の一部又は全てを実現するように構成される。あるいは、プロセッサ４０４は、ＦＰＧＡ（フィールドプログラマブルゲートアレイ）等のプログラマブルハードウェアエレメント又はＡＳＩＣ（特定用途向け集積回路）、あるいはそれらの組み合わせとして構成される。
【０１２１】
ＬＴＥにおけるページング
ＬＴＥは、データがＬＴＥ無線インタフェースを介して転送されるように種々のチャネルを使用する。これらのチャネルは、種々のデータを分離し、且つ無線アクセスネットワークを介してそれらを円滑に転送できるようにするために使用される。種々のチャネルは、ＬＴＥプロトコル構成内でインタフェースを上位層に効果的に提供し、円滑に且つ規定された方法でデータを分離できるようにする。
【０１２２】
以下のように、３つのカテゴリ又は種類のＬＴＥデータチャネルがある。
【０１２３】
物理チャネル：これらは、ユーザデータ及び制御メッセージを搬送する送信チャネルである。
【０１２４】
トランスポートチャネル：物理層トランスポートチャネルは、情報伝達をメディアアクセス制御（ＭＡＣ）及び上位層に与える。
【０１２５】
論理チャネル：ＬＴＥプロトコル構造内でメディアアクセス制御（ＭＡＣ）層にサービスを提供する。
【０１２６】
ＬＴＥは、多数の物理ダウンリンクチャネルを規定して、ＭＡＣ及び上位層から受信した情報を搬送する。ＬＴＥダウンリンクは、物理ダウンリンク共有チャネル（ＰＤＳＣＨ）及び物理ダウンリンク制御チャネル（ＰＤＣＣＨ）を含む。ＰＤＳＣＨは、全てのユーザデータ及び全てのシグナリングメッセージを搬送するチャネルである。ＰＤＳＣＨは、動的に且つ日和見主義的にユーザに割り当てられる主データベアリングチャネルである。ＰＤＣＣＨは、共有チャネルに対して第１層の制御を搬送する。従って、ＰＤＳＣＨは、情報をＵＥに通信する重要なチャネルであり、ＰＤＣＣＨは、「誰」のためのデータか、「どんな」データが送出されるか、且つＰＤＳＣＨにおいて無線で「どのように」データが送出されるか等の情報に対するメタデータを通信する。
【０１２７】
上述したように、ページングは、ＵＥに着信データ又は着呼（移動体に対する着呼）を通知するためにネットワークが実行する手順である。簡単に言うと、ページングは、ネットワークがＵＥに対する情報（例えば、データ又は音声通話）を有することをＵＥに通知するために使用する機構である。殆どの例において、ＵＥは、ページング処理が行われる時はアイドルモードである。アイドルモードにおいて、ＵＥは間欠受信（ＤＲＸ）を実行する。換言すると、ＵＥは、ＤＲＸサイクルの一部の間スリープモードであり、ＤＲＸサイクルの別の部分の間に起動してページングメッセージがＵＥに送出されている最中であるかを確認する。従って、ＵＥは、ネットワークのページングメッセージを周期的に監視するためにアイドルモードの間に（バッテリからの）エネルギーを費やす必要がある。ＵＥは、ページングメッセージの内容を受信及び復号して、適切な手順を開始する。例えば、ネットワークによりＵＥに対して発行されたページングにより、ＵＥは、ネットワークにアタッチし且つＮＡＳシグナリング接続を確立する。
【０１２８】
物理ダウンリンク共有チャネル（ＰＤＳＣＨ）は、ページングペイロード情報をＵＥに送信するために使用される。ペイロード情報は、ページングが対象としているＵＥの国際移動加入者識別番号（ＩＭＳＩ）と、ページングがパケット交換伝達のためのものであるか又は回路交換伝達のためのものであるかを示すＰＳ／ＣＳインジケータビットとを含む。（ＵＥがＬＴＥのみをサポートする実施形態において、ＰＳ／ＣＳインジケータビットはペイロード情報から省略される）。また、複数のＵＥがページングされている場合、ペイロード情報は、複数のＩＭＳＩ及び複数の対応するＰＳ／ＣＳインジケータビットを含む。
【０１２９】
物理ダウンリンク制御チャネル（ＰＤＣＣＨ）は、ページング制御情報をＵＥに送信するために使用される。ページング制御情報は、ＰＤＳＣＨにおけるページングペイロード情報の場所を指定するリソース割り当て情報を含む。アイドルモード中、ＵＥは、ページングメッセージの存在を検出するために、周期的に起動してＰＤＣＣＨを監視する。
【０１３０】
基地局は、ページング制御情報の少なくとも一部（例えば、ＣＲＣ）をスクランブルするためにＰ−ＲＮＴＩを使用する。（Ｐ−ＲＮＴＩは、「ページング−無線ネットワーク一時識別子」の略字である。）基地局は、ＰＤＣＣＨにおけるスクランブルされた部分を含むページング制御情報を送信する。Ｐ−ＲＮＴＩは、ページングのために使用される識別子であり、特定のＵＥに対して取り立てて一意ではない。
【０１３１】
ＵＥは、ＰＤＣＣＨにおいてＰ−ＲＮＴＩのスクランブルされた部分の存在を検出する場合、ページング制御情報を復号し、ＰＤＳＣＨにおいてＰＣＨ（ページングチャネル）を復号するためにページング制御情報を使用する。（ＵＥは、Ｐ−ＲＮＴＩのスクランブルされた部分の存在を検出しない場合、スリープ状態に戻る。）ＰＣＨはページングペイロード情報を含む。ページングペイロード情報は、ページングが対象とするデバイスのＩＭＳＩを含む。ＵＥは、含まれたＩＭＳＩがＵＥのＩＭＳＩに等しいかを判定するためにそれを確認する。含まれたＩＭＳＩがＵＥのＩＭＳＩと同一でない場合、ＵＥはスリープ状態に戻る。（ページングはこのＵＥに向けられたものではなかった。）あるいは、含まれたＩＭＳＩがＵＥのＩＭＳＩに等しい場合、ＵＥは、ランダムアクセス手順を開始してネットワークに接続する。
【０１３２】
基地局はシステム情報を同報通信し、ＵＥはシステム情報を受信する。システム情報は、ＵＥが起動してページングメッセージを探索するフレーム及びサブフレームを判定するためにＵＥが使用するパラメータを含む。これらのパラメータは、ＳＩＢ２（システム情報ブロック２）において見つけられる。
【０１３３】
システム情報ブロック（ＳＩＢ）は、アクセス層及び非アクセス層の双方の種々のパラメータに関する情報を基地局からＵＥに提供する。ＳＩＢは、同一のセルにおいて全てのＵＥに対して共通のパラメータを含み、従来ＬＴＥ等の無線技術において同報通信される。
【０１３４】
ＳＩＢ２は、デフォルトページングサイクルＴｄｅｆ（ｐｃｃｈＣｏｎｆｉｇ：ｄｅｆａｕｌｔＰａｇｉｎｇＣｙｃｌｅの下）及びパラメータｎＢを含む。ＵＥは、ページングフレームに対する識別子及びページング機会に対する識別子を判定するためにこれらのパラメータを使用する。ページング機会（ＰＯ）は、ページングメッセージを含む可能性のあるサブフレームである。ページングフレームは、１つ以上のページング機会を含む無線フレームである。
【０１３５】
ＬＴＥは、システムフレーム番号（ＳＦＮ）及びサブフレーム番号の２つのタイミング単位を有する。ＳＦＮはフレームスケールのタイミング単位であり、サブフレーム番号は、サブフレームレベルでのタイミング単位である。ＳＦＮ及びサブフレーム番号の双方を認識することにより、ＬＴＥ時間領域における特定のサブフレームの場所が分かる。間欠受信に関して、ページングフレームインジケータ（ＩＰＦ）及びページング機会インジケータＩＰＯにより、ＵＥは、自身が起動してページングメッセージを確認することが必要な厳密なタイミングを認識できる。
【０１３６】
３ＧＰＰ仕様書ＴＳ３６．３０４によると、ページングフレーム（ＰＦ）は、システムフレーム番号ＳＦＮが以下を満たすあらゆるフレームである
ＳＦＮ  ｍｏｄ  Ｔ＝（Ｔ  ｄｉｖ  Ｎ）＊（ＵＥ＿ＩＤ  ｍｏｄ  Ｎ）
式中、ＴはＵＥのＤＲＸサイクルである。この式を満たすあらゆるＳＦＮは、ページングフレームインジケータＩＰＦであると言われる。従って、ページングフレームは、Ｔ個の無線フレームの周期で周期的に発生する。Ｔは、（ａ）ＵＥ固有のＤＲＸサイクルが上位層により割り当てられる場合にＵＥ固有のＤＲＸサイクル及び（ｂ）ＳＩＢ２において同報通信されるデフォルトＤＲＸサイクルの最小値により判定される。ＵＥ固有のＤＲＸサイクルが上位層により構成されていない場合、デフォルト値が使用される。ＬＴＥ仕様書によると、Ｔは、値３２、６４、１２８、２５６のうちのいずれか１つであり、パラメータｎＢは、値４Ｔ、２Ｔ、Ｔ、Ｔ／２、Ｔ／４、Ｔ／８、Ｔ／１６、Ｔ／３２のうちのいずれか１つである。上述したように、パラメータｎＢはＳＩＢ２において提供される。
【０１３７】
値Ｎは、Ｎ＝ｍｉｎ（Ｔ，ｎＢ）により与えられる。即ち、Ｎは、Ｔ及びｎＢの最小値である。
【０１３８】
ＵＥ＿ＩＤは、式ＵＥ＿ＩＤ＝ＩＭＳＩ  ｍｏｄ  １０２４により判定される。式中、ＩＭＳＩは、１０進形式であり、ＵＥのＵＳＩＭに格納される。（ＵＳＩＭは、汎用加入者識別モジュールの略字である。）
【０１３９】
ページング機会インジケータＩＰＯの場合、３ＧＰＰ仕様書ＴＳ３６．３０４は、以下の表において示されるようにＩＰＯを規定する。その場合、以下の通りである。
Ｎｓ＝ｍａｘ（１，ｎＢ／Ｔ）
ｉ＿ｓ＝（ＵＥ＿ＩＤ／Ｎ）  ｍｏｄ  Ｎｓ
【０１４０】
ＤＲＸパラメータ値がシステム情報において変更される場合は常に、ＵＥにおいて格納されたシステム情報ＤＲＸパラメータは、ＵＥにおいてローカルに更新される。
0006449817.tif 000002
【０１４１】
表の各行のグラフィック表示については、図５Ａ〜図５Ｃを更に参照されたい。図５Ａは、Ｎｓ＝１がｉ＿ｓ＝０、即ち１つのページング機会値Ｐｉ＿ｓ＝０＝９のみを許可することを示す。図５Ｂは、Ｎｓ＝２がｉ＿ｓ＝０及びｉ＿ｓ＝１、並びに対応するページング機会値Ｐｉ＿ｓ＝０＝４及びＰｉ＿ｓ＝１＝９のみを許可することを示す。図５Ｃは、Ｎｓ＝４がｉ＿ｓ＝０、１、２、３、並びに対応するページング機会値Ｐｉ＿ｓ＝０＝０、Ｐｉ＿ｓ＝１＝４、Ｐｉ＿ｓ＝２＝５及びＰｉ＿ｓ＝３＝９を許可することを示す。
【０１４２】
ＵＥは、ページングチャネル（ＰＣＨ）の検出性度を向上するために、ＰＤＣＣＨにおいてＰ−ＲＮＴＩの存在を確実に検出できなければならない。現在、Ｐ−ＲＮＴＩに対してＰＤＣＣＨフォーマット１Ａ／１Ｃが使用されている。（フォーマット１Ａ及び１Ｃの定義については、３ＧＰＰ仕様書ＴＳ３６．２１２を参照されたい。）
【０１４３】
ＰＤＣＣＨを搬送するＯＦＤＭシンボルの数は、ネットワーク構成及び集約レベルに依存する。
【０１４４】
低電力環境においてページングメッセージを確実に復号するための機構
実施形態の１つの集合において、基地局を動作する方法６００は、図６に示されるように実行される。（方法６００は、図１〜図５Ｃに関連して上述され且つ図７〜図１９に関連して後述される特徴、要素及び実施形態のあらゆる部分集合を更に含む。）方法６００は、リンクバジェットが制限されているユーザ機器（ＵＥ）デバイスのページングを容易にするように実行される。方法は、基地局の処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０１４５】
多数のステップに関して方法６００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０１４６】
６１０において、基地局は、ダウンリンクデータストリームの特定のフレームの特定のサブフレームの制御チャネルにおいて第１のページング識別子を送信する。（ＬＴＥのコンテキストにおいて、制御チャネルは、例えば特定のサブフレームのＰＤＣＣＨである。）第１のページング識別子は、リンクバジェットが制限されたＵＥデバイスのページング専用であり、リンクバジェットが制限されていないＵＥデバイス及び／又は従来のＵＥデバイスをページングするために使用される第２のページング識別子とは異なる。（いくつかの実施形態において、第２のページング識別子は、例えば既存のＬＴＥ仕様書により規定されたＰ−ＲＮＴＩである。）特定のフレーム及び特定のサブフレームは、ページングされる１つ以上のリンクバジェットが制限されたＵＥデバイスと関連付けられたページング機会インジケータ及びページングフレームインジケータに基づいて第１のページング識別子の前記送信のために選択される。これらの１つ以上のリンクバジェットが制限されたＵＥデバイスは、基地局の地域におけるリンクバジェットが制限されたＵＥデバイスの完全集合の部分集合である。完全集合のリンクバジェットが制限されたＵＥデバイスは、少なくとも異なるページングフレーム及びページング機会のそれぞれのＩＭＳＩ値に基づいてそれらに割り当てられる。完全集合の定義は、リンクバジェットが制限されたＵＥデバイスが基地局の地域に入り且つ／あるいはそこを出る時に動的に変化する。（また、いくつかの実施形態において、リンクバジェットが制限されていないＵＥデバイスは、自身のステータスをリンクバジェットが制限されたものに変更し、且つ／あるいはリンクバジェットが制限されたＵＥデバイスは、自身のステータスをリンクバジェットが制限されていないものに変更してもよい。）
【０１４７】
６１５において、基地局は、特定のフレームの特定のサブフレームにおいて１つ以上のリンクバジェットが制限されたＵＥデバイスに対するページングペイロード情報を最初に送信する。ページングされる１つ以上のリンクバジェットが制限されたＵＥデバイス毎に、ページングペイロード情報は、ＵＥデバイスの加入者識別番号（例えば、ＩＭＳＩ）を含む。ページングペイロード情報は、特定のサブフレームへの注入前に符号化される（例えば、チャネル符号化される）。
【０１４８】
６２０において、基地局は、特定のサブフレームの後に連続的に後続する１つ以上のサブフレームの各々において同一のページングペイロード情報を（初期送信と同様に）送信する。初期送信及び１つ以上の追加送信は、１つ以上のリンクバジェットが制限されたＵＥデバイスにおいてソフト合成（又はハード合成）をサポートするために使用される。一般に、１つ以上のリンクバジェットが制限されたＵＥデバイスは、ページングペイロード情報の送信された全てのインスタンスを使用せざるを得ない。例えば一方のリンクバジェットが制限されたＵＥデバイスは、初期送信に基づいてページングペイロード情報を復号することに成功し（その場合、一方のリンクバジェットが制限されたＵＥデバイスは、ページングペイロード情報の後続の送信を無視できる）、他方のリンクバジェットが制限されたＵＥデバイスは、ページングペイロード情報を正常に復号するために初期送信及び１つ以上の追加送信の全てを必要とする。
【０１４９】
いくつかの実施形態において、ページング機会インジケータは、例えばページングされるリンクバジェットが制限されたＵＥデバイスの加入者識別番号に基づいて、集合｛０，５｝から選択される。（しかし、種々の他の集合が可能である。）ＰＯインジケータが（サブフレーム０を示す）０の場合、図７Ａに示されるように、ページングペイロード情報は、サブフレーム１、２、３、４を使用して最大４回繰り返される。初期送信はラベルＰで示され、各繰返しはラベルＲで示される。ＰＯインジケータが（サブフレーム５を示す）５の場合、図７Ｂに示されるように、ページングペイロード情報は、サブフレーム６、７、８、９を使用して最大４回繰り返される。図７Ａ及び図７Ｂは、初期送信Ｐの後に４回の繰返しを示すが、他の実施形態においてはより少ない繰返しが使用されてもよい。
【０１５０】
フレーム毎に１０個のサブフレームがあり且つページングフレームにおいて２つの許容ページング機会があるコンテキストにおいて、（ページング機会に対する）許容インジケータ値の集合として｛０，５｝を選択することにより、繰返しのために最大空間を与える。当然、この原則は、他の数のフレーム毎のサブフレーム及びページングフレームにおける他の数の許容ページング機会に対して一般化される。
【０１５１】
いくつかの実施形態において、特定のサブフレームの後に連続的に後続する１つ以上のサブフレームの数は、１個又は２個又は３個又は４個である。
【０１５２】
ページングフレームにおいて１つのページング機会のみが許可されるいくつかの実施形態において、ページングペイロード情報の繰返しの数は５回以上であってもよい。例えば、ページング機会インジケータが値０のみを取ることが許可される場合、ページングフレームにおいて最大ｎＳｕｂｆｒａｍｅｓ−１個の繰返しサブフレームがあり、ｎＳｕｂｆｒａｍｅｓはページングフレームにおけるサブフレームの総数である。ＬＴＥのコンテキストにおいて、ｎＳｕｂｆｒａｍｅｓ＝１０である。
【０１５３】
いくつかの実施形態において、基地局は、特定のフレームにおいて特定のサブフレームの後に連続的に後続する１つ以上のサブフレームの数（又は数のインジケーション）を更に送信する。例えばこの数は、システム情報の一部として（例えば、システム情報ブロックの一部として）同報通信される。
【０１５４】
１つ以上のリンクバジェットが制限されたＵＥデバイスのうちの少なくとも１つが（ランダムアクセス手順を使用して）基地局又はネットワークにまだ接続されていないというインジケーションに応答して、基地局は、いくつかの実施形態において、ダウンリンクデータストリームの追加フレームの２つ以上のサブフレームの各々において同一のページングペイロード情報を（ステップ６１５の初期送信と同様に）送信する。追加フレームは、特定のフレームの後に１つのＤＲＸサイクルを発生させる。例えば、ＤＲＸサイクルが１０個のフレームに等しく且つ初期送信がフレーム０において行われる場合、追加フレームはフレーム１０である。換言すると、追加フレームは、特定のフレームの後に１つのＤＲＸサイクルを発生させるページングフレームである。
【０１５５】
いくつかの実施形態において、追加フレームの上述の２つ以上のサブフレームは、初期送信サブフレーム及び特定のフレームの１つ以上の後続サブフレームと一致する（即ち、それらと同一のサブフレーム番号を有する）サブフレームである。例えば、特定のフレームにおいてページングペイロード情報のインスタンスを送信するためにＰＯ＝０及びサブフレーム１、２、３、４が使用された場合、サブフレーム０、１、２、３、４は、ページングペイロード情報の追加インスタンスを送信するために追加フレームにおいて使用される。
【０１５６】
１つ以上のリンクバジェットが制限されたＵＥデバイスのうちの少なくとも１つがステップ６２０の後に基地局にまだ接続されていないというインジケーションに応答して、基地局は、いくつかの実施形態において、最大ＮＳＣ−１回の送信反復（transmission iterations）を実行し、ＮＳＣは２以上である。各送信反復は、（ａ）特定のフレームの後にＤＲＸサイクルの正の整数倍を発生させる追加フレームの２つ以上のサブフレームの各々において追加フレームの２つ以上のサブフレームの各々に含まれている（例えば、符号化されている）ページングペイロード情報を送信することと、（ｂ）１つ以上のリンクバジェットが制限されたＵＥデバイスの全てが基地局にアクセスしたという判定に応答して、更なる送信反復を実行しないこととを含む。
【０１５７】
例えば、ＤＲＸサイクルが１０個のフレームに等しく、ＮＳＣが４であり、且つ特定のフレームがフレーム番号０に対応するという仮定の下で、基地局は、必要に応じて、フレーム１０、２０及び３０の各々においてページングペイロード情報の繰返しを送信する。例えば、ページングされている１つ以上のリンクバジェットが制限されたＵＥデバイスの全ては、フレーム０及び１０におけるページングペイロード情報のインスタンスに基づいてページングメッセージを正常に復号することが可能である。（リンクバジェットが制限されたＵＥデバイスの各々が、ページングペイロード情報を正常に復号するとランダムアクセス手順を開始してネットワークに接続するため、基地局又はネットワークはこの初期の完成条件を感知する。）従って、基地局は、フレーム２０及び３０におけるあらゆる更なる繰返しを中止し、更なる繰返しのためにこれらのフレームにおいて使用されていると考えられるリソースは、他の用途、例えばユーザデータトラフィック及び／又は他のＵＥデバイスのページングに対して割り当てられる。
【０１５８】
いくつかの実施形態において、ページングされている１つ以上のリンクバジェットが制限されたＵＥデバイスが（例えば、ランダムアクセス手順により）全て基地局に接続されているというインジケーションに応答して、基地局は、１つ以上の他のＵＥデバイスへの新しいページング送信を開始する。
【０１５９】
尚、上述したように１つ以上のリンクバジェットが制限されたＵＥデバイスをページングするために特定のフレームの特定のサブフレームを使用することは、第２のページング識別子を使用して同一のサブフレームにおいてリンクバジェットが制限されていないＵＥデバイス（又は従来のＵＥデバイス）をページングする可能性を除外しない。例えば基地局は、第１のページング識別子を使用して（フレーム０、サブフレーム０）においてページングメッセージをリンクバジェットが制限されたＵＥデバイス送信し、第２のページング識別子を使用して（フレーム０、サブフレーム０）において異なるページングメッセージをリンクバジェットが制限されていないＵＥデバイスに同時に送信する。しかし、これを達成するために、２つのページングメッセージは、ＰＤＣＣＨにおけるリソースの種々の集合及びＰＤＳＣＨにおけるリソースの種々の集合を使用する。
【０１６０】
尚、上述したように１つ以上のリンクバジェットが制限されたＵＥデバイスをページングするために特定のフレームの特定のサブフレームを使用することは、特定のフレームの別のサブフレームにおける第２のページング識別子を使用してリンクバジェットが制限されていないＵＥデバイス（又は従来のＵＥデバイス）をページングする可能性を除外しない。例えば基地局は、第１のページング識別子を使用して（フレーム０、サブフレーム０）においてページングメッセージをリンクバジェットが制限されたＵＥデバイス送信し、第２のページング識別子を使用して（フレーム０、サブフレーム４又は５又は９）においてページングメッセージをリンクバジェットが制限されていないＵＥデバイスに送信する。
【０１６１】
実施形態の１つの集合において、ユーザ機器（ＵＥ）デバイスを動作する方法８００は、図８に示されるように実行される。（方法８００は、図１〜図７Ｂに関連して上述され且つ図９〜図１９に関連して後述される特徴、要素及び実施形態のあらゆる部分集合を更に含む。）方法８００は、リンクバジェットが制限されているＵＥデバイスのページングを容易にするようにＵＥデバイスにより実行される。方法８００は、ＵＥデバイスの処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０１６２】
多数のステップに関して方法８００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０１６３】
８１０において、ＵＥデバイスは、基地局が送信した信号から受信した１つ以上のページングパラメータ及びＵＥデバイスの加入者識別番号（例えば、ＩＭＳＩ）に基づいて、ページングフレームインジケータ及びページング機会インジケータを算出する。１つ以上のページングパラメータは、例えば様々に上述したように、ＤＲＸサイクル値Ｔ及び／又はパラメータｎＢを含む。加入者識別番号は、ＵＥデバイスのメモリ、例えばＵＥデバイスのユーザ識別モジュール（ＵＩＭ）又は加入者識別モジュール（ＳＩＭ）に格納される。ページングフレームインジケータ及びページング機会インジケータは、ＵＥデバイスが以下の動作を実行するためにスリープから起動する時を判定する。
【０１６４】
８１５において、ＵＥデバイスは、信号の特定のフレームの特定のサブフレームから初期シンボルデータセットを受信する。ＵＥデバイスは、ページングフレームインジケータ及びページング機会インジケータに基づいて、当該信号から特定のフレーム及び特定のサブフレームを選択する。「シンボルデータセット」という用語は、複数のシンボルとして広く解釈されることを意図する。
【０１６５】
８２０において、ＵＥデバイスは、初期シンボルデータセットの制御チャネル（例えば、ＬＴＥのコンテキストのＰＤＣＣＨ）が、リンクバジェットが制限されたＵＥデバイスのページング専用の第１のページング識別子であって、且つ、リンクバジェットが制限されていないＵＥデバイスをページングするために使用される第２のページング識別子とは異なる第１のページング識別子を含むかを判定する。
【０１６６】
８２５において、ＵＥデバイスは、例えば様々に上述したように、特定のフレーム内の特定のサブフレームの後に連続的に後続する１つ以上のサブフレームからそれぞれ１つ以上の追加シンボルデータセットを受信する。特定のサブフレーム及び特定のサブフレームの後に連続的に後続する１つ以上のサブフレームの各々には、（基地局により）同一のページングペイロード情報が含められている。
【０１６７】
８３０において、ＵＥデバイスは、初期シンボルデータセット及び１つ以上の追加シンボルデータセットに基づいてページングペイロード情報を復号する。例えばＵＥデバイスは、初期シンボルデータセット及び１つ以上の追加シンボルデータセットをソフト合成して結果として生じるシンボルデータセットを取得し、結果として生じるシンボルデータセットに基づいてページングペイロード情報を復号する。シンボルデータセットの合成により雑音が平均化されるため、信号対雑音比（ＳＮＲ）が増加する。
【０１６８】
いくつかの実施形態において、特定のサブフレームの後に連続的に後続する１つ以上のサブフレームの数は、１個又は２個又は３個又は４個である。
【０１６９】
ページングフレームにおいて１つのページング機会のみが許可されるいくつかの実施形態において、特定のサブフレームの後に連続的に後続する１つ以上のサブフレームの数は４より大きい。例えば、ページング機会インジケータが値０のみを取ることが許可される場合、ページングフレームにおいて最大ｎＳｕｂｆｒａｍｅｓ−１個の繰返しサブフレームがあり、ｎＳｕｂｆｒａｍｅｓはページングフレームにおけるサブフレームの総数である。ＬＴＥフレーム構造のコンテキストにおいて、ｎＳｕｂｆｒａｍｅｓ＝１０である。
【０１７０】
いくつかの実施形態において、特定のサブフレームの後に連続的に後続する１つ以上のサブフレームの数（又は数のインジケーション）は、前記信号から受信される。
【０１７１】
いくつかの実施形態において、ページング機会インジケータは、許容ＰＯインジケータ値の集合｛０，５｝のメンバである。
【０１７２】
前記復号がページングペイロード情報を正確に回復することに失敗したと判定することに応答して、ＵＥデバイスは、いくつかの実施形態において、特定のフレームの後に１つのＤＲＸサイクルを発生させる追加フレームから２つ以上の更なるシンボルデータセットを受信する。（特定のフレームにおいて送信されるような）同一のページングペイロード情報は、追加フレームの２つ以上のサブフレームの各々に（基地局によって）含められている。更なるシンボルデータセットの各々は、追加フレームの２つ以上のサブフレームのそれぞれ１つに対応する。ＵＥデバイスは、初期シンボルデータセット、１つ以上の追加シンボルデータセット及び２つ以上の更なるシンボルデータセットに基づいてページングペイロード情報を復号する。例えばＵＥデバイスは、２つ以上の更なるシンボルデータセットを上述の結果として生じる（初期シンボルデータセット及び１つ以上の追加シンボルデータセットを合成した結果として得られる）シンボルデータセットと合成して、更新された結果として生じるシンボルデータセットを取得する。ページングペイロード情報は、更新された結果として生じるシンボルデータセットから復号される。
【０１７３】
前記復号がページングペイロード情報を正確に回復することに失敗したと判定することに応答して、ＵＥデバイスは、いくつかの実施形態において、最大ＮＳＣ−１回の処理反復を実行し、ＮＳＣは２以上である。各処理反復は、（ａ）特定のフレームの後にＤＲＸサイクルの正の整数倍を発生させる追加フレームから２つ以上の更なるシンボルデータセットを受信することとであり、同一のページングペイロード情報が、追加フレームの２つ以上のサブフレームの各々に含まれており、更なるシンボルデータセットの各々が、追加フレームの２つ以上のサブフレームのうちのそれぞれの１つに対応することと、（ｂ）２つ以上の更なるシンボルデータセットを含むデータに基づいてページングペイロード情報を復号することと、（ｃ）基地局に（ＲＡＣＨ手順により）アクセスすること及び前記復号がページングペイロード情報を正常に回復する場合に更なる処理反復を実行しないこととを含む。
【０１７４】
いくつかの実施形態において、整数ＮＳＣを示す情報は、前記信号、例えば信号の特定のフレームのシステム情報同報通信に含まれる。
【０１７５】
いくつかの実施形態において、前記復号がページングペイロード情報を正確に回復したと判定することに応答して、ＵＥデバイスは、自身がページングされていることをページングペイロード情報が示す場合に、ランダムアクセス手順を実行して基地局（又はネットワーク）にアクセスする。無線基地局へのランダムアクセスを実行するための機構は、無線通信の技術において適切に理解され、本明細書において詳しく述べられる必要はない。
【０１７６】
実施形態の１つの集合において、基地局を動作する方法９００は、図９に示されるように実行される。（方法９００は、図１〜図８に関連して上述され且つ図１０〜図１９に関連して後述される特徴、要素及び実施形態のあらゆる部分集合を更に含む。）方法９００は、リンクバジェットが制限されているユーザ機器（ＵＥ）デバイスのページングを容易にするように実行される。方法は、基地局の処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０１７７】
多数のステップに関して方法９００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０１７８】
９０５において、基地局は、リンクバジェットが制限されたＵＥデバイスに対するページングメッセージを送信する。ページングメッセージは、ページング制御情報及びページングペイロード情報を含む。ページング制御情報の少なくとも一部は、リンクバジェットが制限されていないＵＥデバイスをページングするために基地局が使用する第２のＰ−ＲＮＴＩ（ページング−無線ネットワーク一時識別子）とは異なる第１のＰ−ＲＮＴＩを用いてスクランブルされる。例えば、ページング制御情報の巡回冗長検査（ＣＲＣ）は、第１のＰ−ＲＮＴＩを用いてスクランブルされる。
【０１７９】
いくつかの実施形態において、ページングメッセージを送信する動作は、ページング制御情報を含む制御チャネルエレメント（例えば、ＰＤＣＣＨのＣＣＥ）の電力を増大させること含む。電力の前記増大は、リンクバジェットが制限されていないＵＥデバイスにページング制御を送信するために使用される電力と関連している。
【０１８０】
いくつかの実施形態において、方法９００は、リンクバジェットが制限されていないＵＥデバイスに対する第２のページングメッセージを送信することを更に含む。第２のページングメッセージは、第２のページング制御情報及び第２のページングペイロード情報を含む。第２のページング制御情報の少なくとも一部は、第２のＰ−ＲＮＴＩ（ページング−無線ネットワーク一時識別子）を用いてスクランブルされる。
【０１８１】
いくつかの実施形態において、ページングメッセージは、特定のフレームの特定のサブフレームにおいて送信される。特定のサブフレームのサブフレーム番号及び特定のサブフレームのフレーム番号は、ＤＲＸサイクル値、パラメータｎＢ及びＵＥデバイスの加入者識別番号（例えば、ＩＭＳＩ）に基づいてページングメッセージの前記送信のために選択される。サブフレーム番号は、許可されたページング機会の集合から選択される。許可されたページング機会の集合におけるページング機会の数は、様々に上述されたパラメータＮｓにより判定される。いくつかの実施形態において、許可されたページング機会の集合は、ＬＴＥ仕様書において規定された従来の許可されたページング機会の集合とは異なる。
【０１８２】
実施形態の１つの集合において、ユーザ機器（ＵＥ）デバイスを動作する方法１０００は、図１０に示されるように実行される。（方法１０００は、図１〜図９に関連して上述され且つ図１１〜図１９に関連して後述される特徴、要素及び実施形態のあらゆる部分集合を更に含む。）方法１０００は、リンクバジェットが制限されているＵＥデバイスのページングを容易にするようにＵＥデバイスにより実行される。方法１０００は、ＵＥデバイスの処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０１８３】
多数のステップに関して方法１０００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０１８４】
１００５において、ＵＥデバイスは、複数のサンプルを含むデータレコードを取得するためにダウンリンク信号を受信する。ダウンリンク信号は、無線通信ネットワークの基地局により送信される。ダウンリンク信号はＯＦＤＭ信号である。
【０１８５】
１０１０において、ＵＥデバイスがリンクバジェットが制限されているものとして分類されているという判定に応答して、ＵＥデバイスは、以下において説明する動作１０１５及び１０２０を含む動作の集合を実行する。いくつかの実施形態において、ＵＥデバイスは、例えばＵＥデバイスが設計によりリンクバジェットが制限されている場合にＵＥデバイスのリンクバジェット制限ステータスの判定又は検証なしで動作１０１５及び１０２０を実行する。（例えば、ＵＥデバイスが設計によりリンクバジェットが制限されているか又はリンクバジェットが制限されているものとして永続的に分類されている場合、本明細書において説明される種々の実施形態のうちのいずれかは、そのような判定ステップを省略するように同様に構成される。）
【０１８６】
１０１５において、ＵＥデバイスは、データレコードの制御チャネルが第１のＰ−ＲＮＴＩ（ページング−無線ネットワーク一時識別子）を用いてスクランブルされている少なくとも一部分を含むかを判定する。例えば、スクランブルされた部分は制御チャネルのＣＲＣである。第１のＰ−ＲＮＴＩは、リンクバジェットが制限されていないＵＥデバイスをページングするために基地局が使用する第２のＰ−ＲＮＴＩとは異なる。制御チャネルにおける第１のＰ−ＲＮＴＩの存在は、１つ以上のＬＢＬデバイスを対象とするページングメッセージが受信したデータレコードにおいて存在することを示す。第１のＰ−ＲＮＴＩは、特定のＬＢＬデバイスに対して取り立てて一意ではないが、ＬＢＬデバイスカテゴリに対するページングの一般のインジケータとして基地局により送信される。従って、各ＬＢＬデバイスは、第１のＰ−ＲＮＴＩの存在を求めてスキャンするように構成され、非ＬＢＬデバイス（及び従来のデバイス）は、第２のＰ−ＲＮＴＩの存在を求めてスキャンするように構成される。
【０１８７】
ＬＴＥのコンテキストにおいて、データレコードは、ダウンリンク信号のサブフレームに対応し、ＰＤＣＣＨ及びＰＤＳＣＨを含む。上述の制御チャネルは、ＰＤＣＣＨである（あるいはそれに含まれる）。
【０１８８】
１０２０において、制御チャネルが第１のＰ−ＲＮＴＩを用いてスクランブルされている前記少なくとも一部分を含むことを識別する判定ステップ１０１５に応答して、ＵＥデバイスは、制御チャネルにおけるページング制御情報を復号する。ページング制御情報は、ＵＥデバイスに対するページングペイロード情報を含むリソースの場所を識別する。無線信号のチャネルを介して送信された情報を符号化及び復号する技術は、無線通信の分野においてよく知られている。
【０１８９】
いくつかの実施形態において、基地局は、ダウンリンク信号を送信するように構成される。ダウンリンク信号を前記送信することは、ページング制御情報を含む制御チャネルエレメントの電力を増大させること含む。電力を増大させることは、リンクバジェットが制限されていないＵＥデバイスにページング制御を送信するために使用される電力と関連している。
【０１９０】
いくつかの実施形態において、データレコードは、ダウンリンク信号の特定のフレームの特定のサブフレームから取得される（例えば、Ａ／Ｄ変換を介して取り込まれる）。特定のサブフレームのサブフレーム番号及び特定のサブフレームのフレーム番号は、ページング構成情報及びＵＥデバイスの加入者識別番号に基づいて判定される。ページング構成情報は、システム情報の一部として基地局により同報通信される。ページング構成情報は、ＤＲＸサイクル値及びパラメータｎＢを含む。
【０１９１】
いくつかの実施形態において、ＵＥデバイスのステータスは、例えば基地局に近接するか又は建物外に移動することにより、ＬＢＬから非ＬＢＬに変化する。従って、方法１０００は、複数のサンプルを含む第２のデータレコードを取得するために第２のダウンリンク信号を受信することと、ＵＥデバイスがリンクバジェットが制限されていないものとして分類されているという判定に応答して追加動作を実行することとを更に含む。追加動作は、
第２のデータレコードの第２の制御チャネルが第２のＰ−ＲＮＴＩを用いてスクランブルされている少なくとも一部分を含むかを判定することと、
第２の制御チャネルが第２のＰ−ＲＮＴＩを用いてスクランブルされている前記少なくとも一部分を含むことを識別する前記判定に応答して、ＵＥデバイスに対する第２のページングペイロード情報を含む第２のリソースの場所を識別する、第２の制御チャネルの第２のページング制御情報を復号することとを含む。
【０１９２】
実施形態の１つの集合において、リンクバジェットが制限されているユーザ機器（ＵＥ）デバイスのページングを容易にするために基地局を動作する方法は、以下の通り実行される。（方法は、図１〜図１０に関連して上述され且つ図１１〜図１９に関連して後述される特徴、要素及び実施形態のあらゆる部分集合を更に含む。）
【０１９３】
基地局は、ダウンリンクデータストリームの特定のフレームの特定のサブフレームの制御チャネルにおいてページング識別子を送信する。（例えば、制御チャネルはＬＴＥのＰＤＣＣＨであり、ページング識別子は、既存のＬＴＥ仕様書に準拠するＰ−ＲＮＴＩである。）特定のフレーム及び特定のサブフレームは、ページングされる１つ以上のリンクバジェットが制限されたＵＥデバイスと関連付けられたページング機会インジケータ及びページングフレームインジケータに基づいてページング識別子を送信するために選択される。ページングフレームインジケータ及びページング機会インジケータは、ＤＲＸサイクル値、パラメータＮｂ及びページングされるＵＥデバイスのＩＭＳＩに基づいて判定される。
【０１９４】
基地局は、特定のフレームの特定のサブフレームにおいて１つ以上のリンクバジェットが制限されたＵＥデバイスに対するページングペイロード情報を最初に送信する。ページングペイロード情報は、特定のサブフレームのＰＤＳＣＨにおいて送信される。
【０１９５】
基地局は、特定のサブフレームの後に連続的に後続する１つ以上のサブフレームの各々において同一のページングペイロード情報を送信する（初期送信と同様に）。
【０１９６】
ページングペイロード情報を複数回（即ち、初期送信に加えて１つ以上の後続の送信）送信することにより、基地局により、１つ以上のリンクバジェットが制限されたＵＥデバイスは、ページングペイロード情報のそれぞれのコピーを合成できる。合成されたデータレコードの品質は、組み込まれるコピーの数が増加するにつれて向上する。従って、ページングペイロード情報の復号が成功する尤度も同様に向上する。
【０１９７】
いくつかの実施形態において、ページング機会（ＰＯ）インジケータは、既存の無線通信規格において許可されたＰＯインジケータ値の集合の補集合における値のみを取ることができるように限定される。（例えば、指標ｉ＿ｓをＰＯインジケータ値にマッピングすることは、そのような限定を実現するように変更される。）３ＧＰＰ  ＴＳ３６．３０４において許可されたＰＯインジケータ値の集合は、｛０，４，５，９｝である。従って、いくつかの実施形態において、ＰＯインジケータは、リンクバジェットが制限されているＵＥデバイスをページングするために使用される場合、許可された集合｛１，２，３，６，７，８｝又はその部分集合に限定される。例えば、ＰＯインジケータは集合｛１，６｝に限定される。（例えば、Ｎｓ＝２の場合に指標ｉ＿ｓをＰＯインジケータ値にマッピングすることは、そのような限定を実現するように変更される。）また、特定のサブフレームの後に連続的に後続する１つ以上のサブフレームは、サブフレーム番号が許可された集合｛１，２，３，６，７，８｝又はその部分集合に更に常駐するサブフレームである。例えば、ＰＯインジケータが１の場合、１つ以上の後続サブフレームは、サブフレーム２及び３である。別の例として、ＰＯインジケータが６の場合、１つ以上の後続サブフレームは、サブフレーム７及び８である。
【０１９８】
いくつかの実施形態において、リンクバジェットが制限されたＵＥデバイスをページングする場合、基地局は、通常のＵＥデバイス（即ち、従来のＵＥデバイス及び／又はリンクバジェットが制限されていないＵＥデバイス）により使用されたＤＲＸサイクルＴよりＮＳＣ倍大きいＤＲＸサイクル値ＴＬＢＬを採用する。
ＴＬＢＬ＝ＮＳＣ＊ＴＲＥＧ
式中、ＮＳＣは２以上の整数である。整数ＮＳＣ又はその符号化表現は、基地局が送信したシステム情報に含まれる。リンクバジェットが制限されたＵＥデバイスは、同一のＤＲＸサイクル値ＴＬＢＬを採用するように構成される。従って、リンクバジェットが制限されたＵＥデバイスは、ＴＬＢＬフレーム毎にページングフレームにおいて起動して新しいページングメッセージの送信を確認する。（様々に上述したように、ページングメッセージの初期インスタンスが正常に復号されない場合、ＵＥデバイスは、起動したまま、ページングフレームの連続したサブフレームにおいてページングメッセージの１つ以上の追加送信を受信する。）本明細書において、通常のＤＲＸサイクル値ＴではなくＤＲＸサイクル値ＴＬＢＬを使用するこの特徴を「係数ＮＳＣを用いたＤＲＸスーパーサイクル」と呼ぶ。
【０１９９】
いくつかの実施形態において、リンクバジェットが制限されたＵＥデバイスをページングする場合、基地局は、例えば様々に上述したように、係数ＮＳＣを用いたＤＲＸスーパーサイクルと、初期送信フレーム（即ち、上述した特定のフレーム）の後に従来のＤＲＸサイクルＴの整数倍において発生する最大ＮＳＣ−１個のフレームの各々においてペイロード繰返しの送信とを実行する。ＮＳＣ−１個のフレームの各々においてページングペイロードのインスタンスを送信するために使用されるサブフレームは、初期送信フレームにおいて使用されるサブフレームと同一であってもよく、あるいはそれとは異なってもよい。
【０２００】
実施形態の１つの集合において、リンクバジェットが制限されているユーザ機器（ＵＥ）デバイスを動作する方法は、以下の通り実行される。
【０２０１】
ＵＥデバイスは、基地局が送信した信号から受信した１つ以上のページングパラメータ及びＵＥデバイスの加入者識別番号（例えば、ＩＭＳＩ）に基づいて、ページングフレームインジケータ及びページング機会インジケータを算出する。
【０２０２】
ＵＥデバイスは、信号の特定のフレームの特定のサブフレームの制御チャネルがページング識別子を含むかを判定する。（例えば、制御チャネルはＬＴＥのＰＤＣＣＨであり、ページング識別子はＬＴＥの既存のＰ−ＲＮＴＩである。）
【０２０３】
ＵＥデバイスは、特定のフレームの特定のサブフレームから初期シンボルデータセットを受信する。初期シンボルデータセットは複数のサンプルを含む。
【０２０４】
ＵＥデバイスは、特定のフレーム内の特定のサブフレームの後に連続的に後続する１つ以上のサブフレームからそれぞれ１つ以上の追加シンボルデータセットを受信する。同一のページングペイロード情報は、特定のサブフレーム及び特定のサブフレームの後に連続的に後続する１つ以上のサブフレームの各々において符号化されている。
【０２０５】
ＵＥデバイスは、初期シンボルデータセット及び１つ以上の追加シンボルデータセットに基づいてページングペイロード情報を復号する。初期シンボルデータセット及び１つ以上の追加シンボルデータセットを合成することにより、ＵＥデバイスは、ページングペイロード情報の復号が成功する尤度を向上させる。合成は、雑音を平均化する効果を有する。
【０２０６】
いくつかの実施形態において、ＵＥデバイスは、例えば様々に上述したように、係数ＮＳＣを用いたＤＲＸスーパーサイクルと、（初期送信フレームの後に通常のＤＲＸサイクルの整数倍において発生する）最大ＮＳＣ−１個のフレームにおいてペイロード繰返しの復号とを更に実行する。ＮＳＣ−１個のフレームにおけるページングペイロードのインスタンスを復号するために使用されるサブフレームは、初期送信フレームにおいて使用されるサブフレームと同一であってもよく、あるいはそれとは異なってもよい。
【０２０７】
更なるページングの実施形態
いくつかの実施形態において、ＵＥデバイスは、自身がリンクバジェットが制限されたＵＥデバイスであることをネットワーク（ＮＷ）に通知するためにＵＥ無線機能報告メッセージを使用する。（３ＧＰＰ  ＴＳ３６．３３１のＵＥ無線機能報告は、ＬＢＬステータスを信号伝送するこの機能をサポートするように拡張される。）従って、ネットワーク（例えば、ＭＭＥ）は、このＵＥデバイスのＩＭＳＩをリンクバジェットが制限されたカテゴリと関連付ける。
【０２０８】
いくつかの実施形態において、基地局（例えば、ＬＴＥのコンテキストにおけるｅＮｏｄｅＢ）は、モビリティ管理エンティティ（ＭＭＥ）からページングコマンドを受信してページングメッセージを送出する場合、ページングフレームのページング機会においてページングメッセージを送信する。ページング機会（ＰＯ）及びページングフレーム（ＰＦ）は、ページングされるＵＥのＩＭＳＩ及びシステム情報において送信される１つ以上のＤＲＸパラメータに基づいて選択される。ページングフレームは、１つ以上の使用可能なＰＯ（例えば、ＬＴＥにおけるサブフレーム０、４、５、９）を含む。
【０２０９】
ページングされるＵＥのうちの１つがＬＢＬカテゴリに属する場合、基地局は、Ｐ−ＲＮＴＩを使用して且つ許容集合｛０，４，５，９｝からのＰＯ値のうちの１つの値上にページングメッセージを最初に送出し、許容集合のＰＯの後且つ次のＰＯの前にＮ個の連続したサブフレームの各々において同一のページングメッセージを送出する。（以下の段落の例（ｂ）及び（ｄ）により示されるように、「ＰＯの後」は、必ずしもＰＯの「直後」を意味しない。）例えば、ページングメッセージがＰＯ＝０の際に最初に送信される場合、同一のページングメッセージは、サブフレーム１、２、３上で最大３回繰り返される。別の例として、ページングメッセージがＰＯ＝５の際に最初に送信される場合、同一のページングメッセージは、サブフレーム６、７、８上で最大３回繰り返される。更に別の例として、ページングメッセージがＰＯ＝４の際に最初に送信される場合、同一のページングメッセージは、ＰＯ＝５と関連付けられた独立したページングメッセージの繰返しを送信するためにサブフレーム６、７、８が使用されていないという条件で、これらのサブフレーム上で繰り返される。更に別の例として、ページングメッセージがＰＯ＝９の際に最初に送信される場合、同一のページングメッセージは、次のフレームのＰＯ＝０と関連付けられた独立したページングメッセージの繰返しを送信するために次のフレームのサブフレーム１、２、３が使用されていないという条件で、これらのサブフレーム上で繰り返される。
【０２１０】
以下は、基地局がページングを繰り返す方法の更なる例である。
（ａ）ＰＯ＝０の際にページングメッセージを送信し、サブフレーム１上で繰り返す。
（ｂ）ＰＯ＝４の際にページングメッセージを送信し、次のフレームのサブフレーム２上で繰り返す。
（ｃ）ＰＯ＝５の際にページングメッセージを送信し、サブフレーム６上で繰り返す。
（ｄ）ＰＯ＝９の際にページングメッセージを送信し、次のフレームのサブフレーム７上で繰り返す。
ＵＥは、基地局が使用する繰返し方式を認識して構成される。例えば繰返し方式は、１回以上の繰返しの数及びＰＯのとり得る値毎の１回以上の繰返しのサブフレームの場所を規定する。
【０２１１】
いくつかの実施形態において、基地局は、ページングされるＵＥの集合からのＬＢＬ  ＵＥを異なるＰ＿ＲＮＴＩ（「Ｐ＿ＲＮＴＩ＿ＬＢＬ」と呼ぶ）を使用して送信される別個のページングメッセージにグループ化される。これらの実施形態のうちの１つ以上において、別個のページングメッセージは、サブフレームＰＯ＝０又は５及びＰＯの後のＮ個の隣接サブフレームの各々の上に送出される。例えば、ＰＯ＝０の場合、サブフレーム０上でページングメッセージを送出し且つサブフレーム１、２、３及び４の各々の上で繰り返し、ＰＯ＝５の場合、サブフレーム５上でページングメッセージを送出し且つサブフレーム６、７、８及び９の各々の上で繰り返す。
【０２１２】
より多くのＩＭＳＩがメッセージに含まれる場合にページングメッセージが大きくなるにつれ、上述の５回の送信（１回の初期送信に加えて４回の追加送信）でさえ、新しいＰ＿ＲＮＴＩ＿ＬＢＬの例に対して十分でない。従って、いくつかの実施形態において、同一のページングメッセージは次のＤＲＸサイクルにおいて繰り返される。この繰返しの形式は以下の通り実現される。
【０２１３】
いくつかの実施形態において、ＵＥが全てのＤＲＸサイクルにおいて起動している時間が長すぎるという好ましくない状態を回避するために、ハイブリッド方式、即ち、ページングフレームの１つ以上の連続したサブフレームにおいてページングメッセージを繰り返し、更なる繰返しが必要な場合には１つ以上の更なるＤＲＸサイクルにわたりこの処理を繰り返す方式が使用される。所定のＰＯに対して繰り返される送信は、それらが次の潜在的なＰＯと衝突しないように構成される。
【０２１４】
いくつかの実施形態において、ＬＢＬデバイスに対するＤＲＸサイクルは、ＮＳＣ＊（正常なＤＲＸサイクル）として規定され、ＮＳＣは２以上の整数である。例えば、現在の正常なＤＲＸサイクルが２５６ｍｓである場合、新しいページングメッセージは、いくつかの実施形態において、ＮＳＣ＊２５６ｍｓ毎に送信される。初期送信フレームの後に１、２、３、．．．、ＮＳＣ−１個の正常なＤＲＸサイクルにおいて発生する（ＮＳＣ−１）個の無線フレーム上のＰＯは、ページングメッセージの繰り返される送信に対して使用される。従って、ＬＢＬ  ＵＥは、全ての正常なＤＲＸサイクルで依然として起動するが、（ＮＳＣ＊ＤＲＸ＿サイクル）個のフレーム毎に新しいページングメッセージを求めてスキャンするだけである。
【０２１５】
いくつかの実施形態において、ＰＦにおけるページングペイロードを繰り返し送信するために使用されるサブフレームの数及び番号ＮＳＣは、システム情報において同報通信される。
【０２１６】
いくつかの実施形態において、基地局は、同一のページングメッセージにおいてＬＢＬ  ＵＥ及び非ＬＢＬ  ＵＥを共にグループ化することを回避し、且つより無線リソース効率が良いように構成される。
【０２１７】
いくつかの実施形態において、ＬＢＬ  ＵＥは、システム情報を読んでページング繰返し番号を取得し、現在のサブフレームを含む現在の合成が結果として正常に復号しない場合に次の繰返しサブフレームを合成及び復号し続ける。
【０２１８】
いくつかの実施形態において、非ＬＢＬ  ＵＥの場合、そのページング復号処理は従来技術と同一のままである。
【０２１９】
本明細書において説明される実施形態のうちのいくつかは、ＬＢＬデバイスに対するダウンリンクリンクマージンを向上させる。
【０２２０】
本明細書において説明される実施形態のうちのいくつかは、非ＬＢＬ  ＵＥデバイスに対するページングへの悪影響なしで既存のＬＴＥネットワークに準拠する。
【０２２１】
Ｓ−ＴＭＳＩ値を介したリンクバジェット制限ステータスの信号伝送
ＬＴＥネットワークにおいて、モビリティ管理エンティティ（ＭＭＥ）は、Ｓ１ＡＰメッセージをＭＭＥから１つ以上の基地局に送信することにより、アイドルモードでのＵＥデバイスのページングを開始する。Ｓ１ＡＰメッセージは以下を含む。
ページング関連情報（即ち、ＵＥ＿ＩＤ及びＩＤＲＸサイクル長）及び
ページングされるＵＥのページング識別子情報（Ｓ−ＴＭＳＩ又はＩＭＳＩ）
殆どの状況において、ページング識別子情報は、Ｓ−ＴＭＳＩ（ＳＡＥ−一時移動加入者識別番号）である。しかし、非常事態等の緊急の場合において、ＩＭＳＩは、ページング識別子情報として使用される。Ｓ−ＴＭＳＩは、ＵＥがＭＭＥにアタッチするか又はＭＭＥに対してトラッキングエリア更新を開始する際にＭＭＥにより割り当てられた一時ＩＤである。
【０２２２】
実施形態の１つの集合において、アタッチメッセージ又はトラッキングエリア更新メッセージの一部として、ＵＥは、リンクバジェットが制限されたデバイスとしての自身のステータスをＭＭＥにシグナリングする。（ＵＥは、ＭＭＥに自身のＬＢＬステータスを通知するために本明細書において開示される種々の方法のうちのいずれかを採用する。）次にＭＭＥは、とり得るＳ−ＴＭＳＩ値の空間の部分集合から選択されたＳ−ＴＭＳＩをこのＵＥに割り当てる。その場合、部分集合は、リンクバジェットが制限されたＵＥの種別に対して予約される。ｅＮｏｄｅＢは、予約済みの部分集合（例えば、Ｓ−ＴＭＳＩ値の１つ以上の範囲）を認識している。従って、ｅＮｏｄｅＢは、ＭＭＥからＳ１ＡＰメッセージを受信する場合、Ｓ１ＡＰメッセージに含まれたＳ−ＴＭＳＩが予約済みの部分集合に属するかを判定することにより、対象のＵＥがリンクバジェットが制限されているか否かを判定する。
【０２２３】
ページングされるＵＥがＬＢＬであると判定される場合、ｅＮＢは、本明細書において説明されるページング拡張機構のうちのいずれか１つ以上を使用してＵＥをページングする。ページングされるＵＥが非ＬＢＬであると判定される場合、ｅＮＢは、従来の方法でＵＥをページングする。
【０２２４】
実施形態の１つの集合において、通信ネットワーク内のノード（例えば、モビリティ管理エンティティ）を動作する方法１１００は、図１１に示されるように実行される。（方法１１００は、図１〜図１０に関連して上述され且つ図１２〜図１９に関連して後述される特徴、要素及び実施形態のあらゆる部分集合を更に含む。）方法１１００は、１つ以上のリンクバジェットが制限されているＵＥデバイスのページングの正常な完了を容易にするように実行される。方法１１００は、ノードの処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０２２５】
多数のステップに関して方法１１００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０２２６】
１１１０において、ネットワークノードはＵＥデバイスから要求を受信する。いくつかの実施形態において、要求は、ネットワークへのアタッチの要求及び／又はトラッキングエリア更新の要求である。ＵＥは、通信ネットワークの基地局を介して要求をノードに送信する。
【０２２７】
１１１５において、ＵＥデバイスがリンクバジェットが制限されているというインジケーションを要求が含むと判定することに応答して、ネットワークノードは、とり得るＳ−ＴＭＳＩ値の空間の予約済みの部分集合から選択されるＳ−ＴＭＳＩ値をＵＥデバイスに割り当てる。予約済みの部分集合は、リンクバジェットが制限されたＵＥデバイスに対して予約されている。ＵＥデバイスは、本明細書において開示される種々の方法のうちのいずれかで自身のリンクバジェット制限ステータスを示す。
【０２２８】
１１２０において、ネットワークノードは、ＵＥデバイスがページングされることを示し、且つ、割り当てられたＳ−ＴＭＳＩ値を含むプロトコルメッセージを基地局に送信する。いくつかの実施形態において、プロトコルメッセージは、トラッキングエリアにおける複数の基地局に送信される。
【０２２９】
いくつかの実施形態において、方法１１００は、（ａ）第２のＵＥデバイスから第２の要求を受信することと、（ｂ）第２の要求が、第２のＵＥデバイスがリンクバジェットが制限されているというインジケーションを含まない（又は第２のＵＥデバイスがリンクバジェットが制限されていないというインジケーションを含む）と判定することに応答して、予約済みの部分集合の補集合から選択される第２のＳ−ＴＭＳＩ値をＵＥデバイスに割り当てることと、（ｃ）第２のＵＥデバイスがページングされることを示し、且つ、第２のＳ−ＴＭＳＩ値を含む第２のプロトコルメッセージを基地局に送信することとを更に含む。
【０２３０】
実施形態の１つの集合において、基地局を動作する方法１２００は、図１２に示されるように実行される。（方法１２００は、図１〜図１１に関連して上述され且つ図１３〜図１９に関連して後述される特徴、要素及び実施形態のあらゆる部分集合を更に含む。）方法１２００は、リンクバジェットが制限されているユーザ機器（ＵＥ）デバイスのページングを容易にするように実行される。方法は、基地局の処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０２３１】
多数のステップに関して方法１２００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０２３２】
１２１０において、基地局は、通信ネットワークのノード、例えばＭＭＥノードからプロトコルメッセージを受信する。プロトコルメッセージは、ＵＥデバイスがページングされることを示し、且つ、ＵＥデバイスに割り当てられたＳ−ＴＭＳＩ値を含む。
【０２３３】
１２１５において、Ｓ−ＴＭＳＩ値がとり得るＳ−ＴＭＳＩ値の空間の予約済みの部分集合に属すると判定することに応答して、基地局は、１つ以上のページング拡張機構、例えば本明細書において開示されるページング拡張機構のうちのいずれか１つ以上を使用してＵＥデバイスをページングする。予約済みの部分集合は、リンクバジェットが制限されたＵＥデバイスに対して予約されている。
【０２３４】
いくつかの実施形態において、ページング拡張機構のうちの１つは、ＵＥデバイスがランダムアクセス手順を完了するまで、（例えば、様々に上述したように）ページングメッセージをＵＥデバイスに繰り返し送信することを含む。
【０２３５】
いくつかの実施形態において、ページング拡張機構のうちの１つは、複数回、例えば所定の回数ページングメッセージをＵＥデバイスに送信することを含む。
【０２３６】
いくつかの実施形態において、ページング拡張機構のうちの１つは、ページングメッセージをリンクバジェットが制限されていないＵＥデバイスに送信するために使用される電力より高い電力で、ページングメッセージをＵＥデバイスに送信することを含む。
【０２３７】
いくつかの実施形態において、方法１２００は、第２のＵＥデバイスがページングされることを示し、且つ、第２のＵＥデバイスに割り当てられた第２のＳ−ＴＭＳＩ値を含む第２のプロトコルメッセージを通信ネットワークのノードから受信することと、第２のＳ−ＴＭＳＩ値が予約済みの部分集合の補集合に属すると判定することに応答して、１つ以上のページング拡張機構のうちどれも使用せずに第２のＵＥデバイスをページングすることとを更に含む。
【０２３８】
リンクバジェットが制限されたＵＥデバイスに対するページング向上
実施形態の１つの集合において、種々のＰ−ＲＮＴＩは、ＬＢＬデバイス対非ＬＢＬデバイスに対して使用される。ＬＢＬ固有のＰ−ＲＮＴＩは、ＬＢＬデバイスをページングするために使用される。ＬＢＬ固有のＰ−ＲＮＴＩは、非ＬＢＬデバイスをページングするために使用される従来のＰ−ＲＮＴＩとは異なる。（従来のＰ−ＲＮＴＩは、ＬＴＥ仕様書において規定されたＰ−ＲＮＴＩである。）ページングメッセージを１つ以上のＬＢＬデバイスに送信する場合、ｅＮＢは、ＰＤＣＣＨにおけるページング制御情報を搬送する制御チャネルエレメント（ＣＣＥ）の少なくとも一部をＬＢＬ固有のＰ−ＲＮＴＩでスクランブルする。ｅＮＢは、非ＬＢＬデバイスが従来のＰ−ＲＮＴＩを用いてページングされていた場合に使用される電力と比較して、これらのページングＣＣＥの電力を更に増大させる。
【０２３９】
実施形態の１つの集合において、ｅＮＢは、ｅＮＢにより構成されるページング機会（ＰＯ）の従来の集合とは異なるページング機会の予め定義された代替集合を使用して、ページングメッセージをＬＢＬデバイスに送信する。（非ＬＢＬデバイスに対するページングメッセージは、ページング機会の従来の集合上で送信される。）例えば代替ページング機会は、ＴＤＤ動作の場合に｛４，９｝であり、ＦＤＤ動作の場合に｛１，６｝である。ＮＷは、初期フレーム番号ＳＦＮ０において代替ページング機会のうちの１つの機会に初期ページングメッセージを送出して、フレームＳＦＮ０＋Ｘ、ＳＦＮ０＋２Ｘ、．．．、ＳＦＮ０＋（Ｙ−１）Ｘの各々において同一のページング機会にページングメッセージ送信を繰り返す。ここで、送信Ｙの数は１より大きく、フレームストライドＸは１以上である。（例えば、一実施形態において、Ｘ＝８及びＹ＝４である。）（いくつかの実施形態において、フレームＳＦＮ０、ＳＦＮ０＋Ｘ、ＳＦＮ０＋２Ｘ、．．．、ＳＦＮ０＋（Ｙ−１）Ｘの各々は、例えば様々に上述したように、ページングメッセージの複数の送信を含む。）
【０２４０】
いくつかの実施形態において、ＬＢＬデバイスは、ページングメッセージのＹ回の繰返しのＰＤＣＣＨからページングＣＣＥの復号を試行する。Ｙ回の繰返しからページングＣＣＥを正常に復号すると、ＬＢＬデバイスは、Ｙ回それぞれの繰返しのＹ個のＰＤＳＣＨから、ページングペイロードの合成に基づいてページングペイロードを復号する。ｅＮＢは、Ｙ回の繰返しの各々のＰＤＳＣＨにおいて同一のページングペイロードを送信する。また、ページングペイロードに対するＰＤＳＣＨの割り当ては、Ｙ回の繰返しにわたり固定され、即ち固定のリソースブロックオフセット、固定のＰＲＢ及び固定のＭＣＳである。
【０２４１】
別の実施形態において、ページングのためのＰＤＣＣＨ割り当てはなく、ＰＤＳＣＨはＰＯ及び繰返しにわたり固定される。例えば基地局は、Ｙ回の送信がいずれもＰＤＣＣＨページング制御情報を含まないように構成される。ＰＤＳＣＨにおけるペイロードの場所は、基地局及びＬＢＬデバイスにより取り決められているため、ＰＤＣＣＨにおいてシグナリングされる必要はない。
【０２４２】
実施形態の１つの集合において、ｅＮＢは、ＲＲＣ接続状態においてＬＢＬデバイスを維持するがＣ−ＤＲＸ対応であり（例えば、１．２８ｓ  Ｃ−ＤＲＸサイクルで）、非ＬＢＬデバイスを用いて従来のアイドルモードのページングを実行する。（Ｃ−ＤＲＸはＬＴＥにおけるオプション機能である。ｅＮＢがＣ−ＤＲＸを有効にする場合、ＵＥは、アップリンク及び／又はダウンリンクリソース割り当てのためにＣ−ＤＲＸサイクルの予め定義されたアクティブなサブフレーム上でＰＤＣＣＨを監視して、Ｃ−ＤＲＸサイクルのスリープ部分の間にＵＥ受信機をｏｆｆにする。）これらの実施形態は、消費電力及びネットワークに影響を及ぼす。一般にＣ−ＤＲＸは、アイドルモードのＤＲＸよりも長いＯＮ持続期間を有する。従って、ＤＲＸサイクルが同一であっても、接続モードのＣ−ＤＲＸは、アイドルモードのＤＲＸより多くの電力を使用する。また、Ｃ−ＤＲＸにおいてより長時間ＵＥを維持することは、ＮＷがより長時間ＵＥに対するＲＲＣコンテキストを維持しなければならないことを意味する。ｅＮｏｄｅＢがより多くのＵＥに対するＲＲＣコンテキストを格納する必要があるため、これはｅＮｏｄｅＢの容量に影響を及ぼす。
【０２４３】
いくつかの実施形態において、ｅＮＢは、ページングされるＵＥがＬＢＬであるかを認識せずに動作する。これらの実施形態において、ｅＮＢは、ＵＥに対するページングメッセージを再送信するＭＭＥのため、同一のＳ−ＴＭＳＩ（又は同一のＩＭＳＩ）に対する（ＭＭＥからの）Ｓ１ＡＰページングメッセージの数をカウントする。次にｅＮＢは、Ｎ番目の再送信（例えば、Ｎ＝３又は４又は５）から始まるページングメッセージを電力増大（power boost）させる。この方法は、全てのＵＥを利するが、ＬＢＬタイプのＵＥを最も利する。
【０２４４】
実施形態の１つの集合において、基地局を動作する方法１３００は、図１３に示されるように実行される。（方法１３００は、図１〜図１２に関連して上述され且つ図１４〜図１９に関連して後述される特徴、要素及び実施形態のあらゆる部分集合を更に含む。）方法１３００は、リンクバジェットが制限されているユーザ機器（ＵＥ）デバイスのページングを容易にするように実行される。方法は、基地局の処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０２４５】
多数のステップに関して方法１３００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０２４６】
１３１０において、基地局は、リンクバジェットが制限されたＵＥデバイスに対するページングメッセージをＫ回送信し、Ｋは１より大きい。集合｛０，１，２，．．．，Ｋ−１｝におけるｋ毎に、Ｋ回の送信のｋ番目の送信は、ダウンリンク信号において送信されている一連のフレームにおける特定のフレームの後にｋＮ個のフレームを発生させるそれぞれのフレームにおいて行われる。（ｋ＝０の場合、ｋ番目の送信は、初期送信であり、特定のフレーム自体において行われる。）Ｎは１以上の整数である。Ｋ回の送信の各々は、それぞれのフレームのｊ番目のサブフレームにおいて行われる。サブフレーム番号ｊは、Ｋ回の送信に対して同一であり、且つ、リンクバジェットが制限されていないＵＥデバイスをページングするために使用されるページング機会の第２の集合とは互いに素のページング機会の第１の集合から選択される。
【０２４７】
いくつかの実施形態において、動作１３１０は、ＵＥデバイスがリンクバジェットが制限されているいう判定（又は検証）に応答して実行される。本明細書において説明される種々の機構のうちのいずれかは、この判定を実行するために使用される。
【０２４８】
いくつかの実施形態において、ページングメッセージは、ページング制御情報及びページングペイロード情報を含む。Ｋ回の送信毎に、
ページング制御情報は、それぞれのフレームのｊ個目のサブフレームの制御チャネルに含まれる（例えば、符号化される）
ページングペイロード情報は、それぞれのフレームのｊ個目のサブフレームの共有チャネルに含まれる（例えば、符号化される）
いくつかの実施形態において、ページング制御情報の送信電力は、リンクバジェットが制限されていないＵＥデバイスに送信されるページング制御の送信電力と比較して増大される。いくつかの実施形態において、ページングペイロード情報の送信電力は、リンクバジェットが制限されていないＵＥデバイスに送信されるページングペイロードの送信電力と比較して増大される。
【０２４９】
いくつかの実施形態において、各共有におけるページングペイロード情報を搬送するために使用されるリソースの集合は、Ｋ回の送信にわたり変化しない。
【０２５０】
上述したように、ページングメッセージは、ページング制御情報及びページングペイロード情報を含む。いくつかの実施形態において、Ｋ回の送信毎に、ページングペイロード情報は、同一の変調及び符号化方式（ＭＣＳ）を使用して送信される。
【０２５１】
実施形態の１つの集合において、ユーザ機器（ＵＥ）デバイスを動作する方法１４００は、図１４に示されるように実行される。（方法１４００は、図１〜図１３に関連して上述され且つ図１５〜図１９に関連して後述される特徴、要素及び実施形態のあらゆる部分集合を更に含む。）方法１４００は、ＵＥデバイスのページングを容易にするようにリンクバジェットが制限されているＵＥデバイスにより実行される。方法１４００は、ＵＥデバイスの処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０２５２】
多数のステップに関して方法１４００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０２５３】
１４１０において、ＵＥデバイスは、ページングメッセージのＫ個の個別のコピーを含むダウンリンク信号を基地局から受信し、Ｋは１より大きい。集合｛０，１，２，．．．，Ｋ−１｝におけるｋ毎に、Ｋ個のコピーのｋ番目のコピーは、ダウンリンク信号の特定のフレームの後にｋＮ個のフレームを発生させるそれぞれのフレームにおいて発生し、Ｎは１以上の整数である。（ｋ＝０のコピーは、元のページングメッセージであり、特定のフレーム自体において発生する。）Ｋ個のコピーの各々は、それぞれのフレームのｊ番目のサブフレームにおいて発生する。サブフレーム番号ｊは、Ｋ個のコピーに対して同一であり、リンクバジェットが制限されていないＵＥデバイスをページングするために基地局によって設定されたページング機会の第２の集合とは互いに素のページング機会の第１の集合から選択される。
【０２５４】
１４１５において、ＵＥデバイスは、例えばＫ個のコピーの合成に基づいて、ページングメッセージのＫ個のコピーからのページングメッセージの復号を試行する。種々のソフト合成技術及び／又はハード合成技術のうちのいずれも採用されてもよい。
【０２５５】
１４２０において、ページングメッセージの復号の試行が成功したと判定することに応答して、ＵＥデバイスは、ＵＥデバイスをページングメッセージの対象として識別する情報（例えば、ＩＭＳＩ）をページングメッセージが含む場合に、ランダムアクセス手順を開始する。
【０２５６】
ページングメッセージのＫ個のコピーの各々は、ダウンリンク信号のそれぞれのサブフレームから取り込まれる。それぞれのサブフレームは、ＰＤＣＣＨ及びＰＤＳＣＨを含む。従って、ページングメッセージの各コピーは、ページングメッセージのページング制御情報を含むそれぞれのＰＤＣＣＨ部分及びページングメッセージのページングペイロード情報を含むそれぞれのＰＤＳＣＨ部分を含む。いくつかの実施形態において、ページングメッセージを復号しようと試行する動作は、（ａ）ページングメッセージのＫ個のそれぞれのコピーのＰＤＣＣＨ部分に基づいてページングメッセージのページング制御情報を復号する試みと、（ｂ）ページング制御情報が正常に復号されると判定することに応答して、ページングメッセージのＫ個のそれぞれのコピーのＰＤＳＣＨ部分に基づいてページングメッセージのページングペイロード情報を復号する試みとを含む。
【０２５７】
いくつかの実施形態において、ページングメッセージは、例えば様々に上述したように、ページング制御情報及びページングペイロード情報を含む。これらの実施形態のうちの１つ以上において、ページングメッセージのＫ個のそれぞれのコピー毎に、それぞれのフレームのｊ番目のサブフレームにおいてページングペイロード情報を搬送するために使用されるリソースの集合は、Ｋ回のそれぞれのコピーにわたり一定である。
【０２５８】
電力増大でのリンクバジェットが制限されたデバイスのページング
実施形態の１つの集合において、セルラネットワークは、例えばある特定の数の先行ページングメッセージの失敗の後、所定のＵＥへのページングメッセージの電力を選択的に増大させるように構成される。いくつかの状況において、ｅＮＢ（基地局）は、ページングされるＵＥがリンクバジェットが制限されたデバイスであると判定できないか又は判定しない。例えばＵＥが、自身がリンクバジェットが制限されたデバイスであることがネットワークに対して登録及び通知されていない場合、そのような状況が発生する恐れがある。また、ＵＥがアイドルモードである場合、基地局は、個々のＵＥに対するコンテキスト情報を有さない。このコンテキスト情報は、ＵＥによるＲＲＣ接続設定後にのみ入手可能である。（ＲＲＣ接続後、基地局は、ＲＲＣ接続を確立したＵＥに対するＲＲＣコンテキストを有する。）ＵＥは、セルラネットワークにアタッチする場合、アタッチメッセージをＭＭＥに送信し且つＭＭＥによりアタッチ手順を完了するために、基地局とのＲＲＣ接続を確立する。ＲＲＣ接続が解放される場合、基地局は、最終的に（タイムアウトの後）ＵＥに対するＲＲＣコンテキストをリリースする。
【０２５９】
基地局がＵＥの種別を認識しない（それがリンクバジェットが制限されているかを認識しない）このような状況において、基地局は、標準的なＰ−ＲＮＴＩ（無線ネットワーク一時識別子）を使用してＵＥをページングする。基地局は、例えばページングの失敗のためにＵＥに対して作成されているページングの数を検出する。より具体的には、基地局は、同一のページングＩＤに対するＭＭＥ（モバイル管理エンティティ）からのＳ１ＡＰメッセージの数を検出する。ＵＥが先行するページングメッセージ、例えば着呼に対して応答していないため、これらのページングメッセージのうちの１つ以上は、ページングメッセージをＵＥに再送信しなければならないＭＭＥのために発生する。
【０２６０】
一例として、ＭＭＥは、特定のＵＥに対するページングメッセージを送信する。その場合、基地局は、例えば第１の着呼に対して、このページングメッセージを受信してＵＥに送信する。ＵＥは、リンクバジェットが制限されている（又は不適切な通信シナリオにある）場合、ページングメッセージを受信しないために応答しない。このように応答がないため（及び場合によっては応答のためのタイムアウト期間の後）、ＭＭＥは、その後基地局によりＵＥに送信される特定のＵＥに対する別のページングメッセージを基地局に再送信し、着呼を再度シグナリングする。この場合も、ＵＥのリンクバジェットが制限された特性のため、ＵＥは、ページングメッセージを受信できないために、それに応答できない。
【０２６１】
少なくともいくつかの実施形態において、ＭＭＥは、アイドルモードページングメッセージをトラッキングエリアにおける全ての基地局（ｅＮｏｄｅＢ）に送出する。ページングメッセージはＳ１  ＡＰメッセージであり、Ｓ１は、ＭＭＥとｅＮｏｄｅＢとの間のリンクである。Ｓ１  ＡＰメッセージはページングされたＵＥのみを含み、メッセージ内容は以下を含む。
【０２６２】
１）ＵＥ  ＩＭＳＩ  ｍｏｄ  １０２４であるＵＥ＿ＩＤ及びＣＤＲＸ長であり、これら２つは、ページングＳＦＮ及びＰＯを算出するために基地局により使用される。
【０２６３】
２）ＵＥページングｉｄは、アタッチ中にＭＭＥにより割り当てられたＳ−ＴＭＳＩ又はＩＭＳＩである。ＵＥページングｉｄは、無線上でＵＥに送出されたＲＲＣページングメッセージに直接渡される。
【０２６４】
ＭＭＥは、Ｓ１  ＡＰページングメッセージを基地局に送出した後、タイマを開始する。ＭＭＥは、タイムアウト後にＵＥからページング応答を受信しない場合、Ｓ１  ＡＰページングメッセージをＮ回にわたり再送信する。（ネットワーク構成の一例において、番号Ｎは５より大きい。）
【０２６５】
基地局は、ＵＥがＭＭＥ再送信のためにＭＭＥにより複数回ページングされていることを検出する。受信したページングメッセージが先に受信したメッセージと同一のＵＥページングｉｄを有するかを確認することにより、これを検出する。例えば、ＵＥが過去Ｔ回においてＮ回ページングされており（例えば、Ｎが３、Ｔが２０秒）、且つ新たに受信されたページングメッセージが同一のＵＥページングＩＤである場合、基地局は、ページングメッセージが送信されるＰＤＣＣＨ及びＰＤＳＣＨ上のサブフレームを徐々に電力増大させる。例えば、ＭＭＥがＵＥを５回ページングする場合、基地局は、最初の３回は特定の電力増大なしで正常にページングメッセージを送出するが、最後の２回はページングメッセージを電力増大させる。
【０２６６】
少なくともいくつかの実施形態において、基地局は、ページングメッセージがある特定の回数Ｎのページング試行（例えば、Ｎ＝２又は３又は４又は５又は６）にわたってＵＥにより受信されていないことを検出する。例えば、上述したように、基地局は、ＭＭＥにより送信された同一のＵＥに対する新しいページングメッセージを検出することにより、例えばこれらの新しいページングメッセージに関する情報を識別する同一のＵＥを検出することによりページングの失敗を検出する。従って、基地局は、Ｎ＋１番目のページング試行がＵＥに対してＭＭＥから受信される場合に先行するＮ回のページング試行が失敗であった（ＵＥにより受信されていない）恐れがあることを検出する。この場合、基地局は、後続のページングメッセージをこの特定のＵＥに「電力増大（power boost）」させるように構成され、即ちＮ＋１番目以降のページングメッセージに対する電力を増大（増加）させる。より具体的には、基地局は、ＰＤＣＣＨ（物理ダウンリンク制御チャネル）及びＰＤＳＣＨ（物理ダウンリンク共有チャネル）の一方又は双方の送信電力を増大（増加）させ、これらの後続のページングメッセージがＵＥにより正常に受信されるのを保証することを助長する。
【０２６７】
基地局は、ページングがＵＥにより正常に受信されるか又はページングが放棄される（例えば、３回等のＭ回の追加試行の後）まで、同一の増大された電力レベルを使用してこれらの後続のページング試行を送信し続ける。いくつかの実施形態において、基地局は、ページングメッセージが受信及び応答されるまで又はある特定の閾値のページング試行に到達するまで、ページングメッセージの後続の再送信毎に電力増大の量を増加させる（増加される電力の量を増加させる）ように構成される。例えば、Ｎ回の送信失敗後のＮ＋１回のページングメッセージ送信の際、基地局は、ベースライン電力と比較して、第１の係数（例えば、１．２倍の電力）だけページングメッセージ送信の送信電力を増加させる（例えば、ＰＤＣＣＨ及び／又はＰＤＳＣＨの送信電力を増加させる）。ＵＥがこのページングメッセージに応答しない場合、基地局は、ベースライン電力と比較して、第２の係数（例えば、１．４倍の電力）だけページングメッセージ送信の送信電力を増加させる。基地局は、ある特定の閾値回数Ｍのページング試行が行われる（例えば、Ｍ＝３、４、５、６、７）まで、ページングメッセージの送信電力を増加させ続け、その後、ＵＥをページングするためのあらゆる更なる試行を中止する。
【０２６８】
上述の方法は、リンクバジェットが制限されたＵＥ及び実質的にリンクバジェットは制限されていないが、不適切な通信シナリオにある恐れのある他のＵＥの双方を含むＵＥの種々の種別に対して便益を与える。従って、本明細書において説明される実施形態は、例えば標準的な携帯電話、タブレットデバイス等のリンクバジェットが制限されていないデバイス（又は「通常の」デバイス）に対して使用される。リンクバジェットが制限されたＵＥはダウンリンク（ＤＬ）が制限されていることが多いため、少なくともいくつかの実施形態は、リンクバジェットが制限されたＵＥに対して最大の便益を与える。
【０２６９】
情報を識別するＵＥに基づいて特定のＵＥがリンクバジェットが制限されたＵＥであることを基地局が判定できる状況において、基地局は、ページング送信の電力をより早く、例えばより少ない数の失敗の後に増加させ始める。例えば、上述の例において、基地局は、ページング送信をＮ回失敗した後、ページングメッセージ送信の電力を増大させ始め、Ｎは例えば３である。基地局は、ＵＥがリンクバジェットが制限されていることを認識する場合、ページング送信をＹ回失敗した後、ページングメッセージ送信の電力を増加させ始め、ＹはＮより小さく、例えば１である。
【０２７０】
この方法は、ネットワークにおける全てのＵＥを利するが、ＤＬが制限された（リンクバジェットが制限された）ＵＥを最も利する。通常のＵＥは、一般に、電力増大を必要としない第１の送信又は第２の送信においてページングを受信する。ＤＬが制限されたＵＥ又はセル境界におけるＵＥの場合、ＵＥは、最初の３回の送信を見過ごす可能性が高いが、基地局により電力増大されるために、第４又は第５の送信を復号する確率がより高い。
【０２７１】
実施形態の１つの集合において、基地局を動作する方法１５００は、図１５に示されるように実行される。（方法１５００は、図１〜図１４に関連して上述され且つ図１６〜図１９に関連して後述される特徴、要素及び実施形態のあらゆる部分集合を更に含む。）方法１５００は、リンクバジェットが制限されているユーザ機器（ＵＥ）デバイスのページング手順の正常な完了を容易にするように実行される。方法１５００は、基地局の処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０２７２】
多数のステップに関して方法１５００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０２７３】
１５１０において、処理エージェントは、ユーザ機器（ＵＥ）デバイスをページングする個別の要求を示す複数のプロトコルメッセージをネットワークエンティティから（例えば、ＭＭＥから）受信する。複数のプロトコルメッセージのうちの１つ以上は、ＵＥデバイスをページングする１つ以上のそれぞれの先行要求の失敗に応答して送出されている。ＭＭＥは、所定のプロトコルメッセージに対応する所定の要求が結果としてページングの失敗を招くと判定する場合、ＵＥデバイスをページングする更なる要求を表す別のプロトコルメッセージを送信する。（例えば、時間的に所定のウィンドウ内の）同一のＵＥデバイスを対象とする連続したプロトコルメッセージは、そのＵＥデバイスをページングするのに繰り返された失敗を表す。
【０２７４】
１５１５において、処理エージェントは、個別の電力レベルで複数のページングメッセージをＵＥデバイスに送信するように基地局の送信機に指示する。複数のページングメッセージのそれぞれについて、ページングメッセージを送信するように送信機に指示する動作は、複数のプロトコルメッセージのうちの対応するメッセージの受信に応答して実行される。Ｎ番目のページングメッセージの後のページングメッセージ毎の電力レベルは、複数のページングメッセージのうちの最初のＮ個に対するＮ個の電力レベルより大きく、Ｎは正の整数である。Ｎ番目のページングメッセージの後の各ページングメッセージをより大きな電力レベルで送信するように送信機に指示することにより、基地局は、セルにおけるリンクバジェットが制限されたあらゆるＵＥデバイスがページングメッセージを正常に復号できる尤度を向上させうる。
【０２７５】
所定の電力レベルで送信するように送信機に指示する動作は、処理エージェント又は他の制御エージェントが送信のために使用される電力レベルを示す（又は指定する）ことを意味するが、必ずしも示された電力レベルが実際の送信電力に関して完全に実現されることを意味しない。
【０２７６】
いくつかの実施形態において、方法１５００は、複数のプロトコルメッセージのうちの最初のメッセージの到着時間に開始する、所定の時間幅を有する時間ウィンドウ内でプロトコルメッセージが発生することを判定することを更に含む。時間幅は、ウィンドウ内で発生し且つ第１のプロトコルメッセージの後の各プロトコルメッセージが、プロトコルメッセージのうちの先行するメッセージと関連付けられたページングメッセージの失敗に起因する可能性を高くするほど十分に小さい。
【０２７７】
いくつかの実施形態において、最初のＮ個のページングメッセージのＮ個の電力レベルは同一であり、即ち共通の値又はベースライン値に等しい。
【０２７８】
いくつかの実施形態において、整数Ｎは１より大きい。例えばいくつかの実施形態において、Ｎは、２、３、４、５、６、７、８、９又は１０である。
【０２７９】
いくつかの実施形態において、ネットワークエンティティは、ＬＴＥネットワークのモビリティ管理エンティティ（ＭＭＥ）であり、プロトコルメッセージはＳ１  ＡＰメッセージである。
【０２８０】
いくつかの実施形態において、Ｎ番目のページングメッセージの後の連続するページングメッセージ毎に、電力レベルが増加する。
【０２８１】
いくつかの実施形態において、方法１５００は、（ａ）それまでにＵＥデバイスに送信された複数のページングメッセージのカウントを維持することと、（ｂ）複数のページングメッセージのうちの現在のメッセージに対する電力レベルを判定するために、カウントを正の整数Ｎと比較することとを更に含む。
【０２８２】
いくつかの実施形態において、方法１５００は、（ａ）受信された前記複数のプロトコルメッセージの数のカウントを維持することと、（ｂ）複数のページングメッセージのうちの現在のメッセージに対する電力レベルを判定するために、カウントを正の整数Ｎに依存する閾値と比較することとを更に含む。
【０２８３】
実施形態の１つの集合において、１つ以上のＵＥデバイスをページングする基地局は、以下の通り構成される。基地局は、アンテナサブシステムに接続された少なくとも１つの無線装置と、少なくとも１つの無線装置に接続された処理エレメントとを含む。（基地局は、図１〜図１４に関連して上述され且つ図１６〜図１９に関連して後述される特徴、要素及び実施形態のあらゆる部分集合を更に含む。）処理エレメントは、少なくとも１つの無線装置を介して、第１の送信電力で送信される１つ以上の第１のページングメッセージを第１のユーザ機器（ＵＥ）デバイスに送信するように構成される。処理エージェントは、少なくとも１つの無線装置を介して、第１の送信電力より大きな送信電力で送信される１つ以上の更なるページングメッセージを送信するように更に構成される。第１のＵＥデバイスが１つ以上の第１のページングメッセージに応答するのに失敗したことに応答して、１つ以上のページングメッセージは、より大きな送信電力で第１のＵＥデバイスに送信される。
【０２８４】
いくつかの実施形態において、基地局は、ページングメッセージの数が閾値となるまで、複数の更なるページングメッセージを第１のＵＥデバイスに送信するように構成される。
【０２８５】
いくつかの実施形態において、基地局は、第１のＵＥデバイスへの複数の更なるページングメッセージのうちの連続したメッセージ毎の送信電力を増大させるように構成される。
【０２８６】
ＬＴＥにおけるＭＭＥによるページング手順の開始
ＬＴＥにおいて、ページング手順の目的は、ＭＭＥがｅＮＢによりＵＥをページングできるようにすることである。ＭＭＥは、ページングメッセージをｅＮＢに送出することでページング手順を開始する。ページングメッセージはＳ１ＡＰメッセージである。（Ｓ１ＡＰは、Ｓ１アプリケーションプロトコルの略字である。）ページングメッセージを受信すると、ｅＮＢは、「トラッキングエリア識別子（ＴＡＩ）」情報エレメントに示されたトラッキングエリアに属するセルにおいてＵＥをページングする。
【０２８７】
ＴＡＩ  ＩＥのリストに示されたトラッキングエリア（ＴＡ）のいずれかに属するセル毎に、ｅＮＢは無線インタフェース上でページングを生成する。
【０２８８】
「ページングＤＲＸ」情報エレメント（ＩＥ）は、ページングメッセージに含まれる。３ＧＰＰ  ＴＳ３６．３０４によると、ページングＤＲＸ  ＩＥがページングメッセージに存在する場合、ｅＮＢは、ｅＮＢにおけるデフォルトＤＲＸサイクル値の最小値に等しいＤＲＸサイクル値及びページングＤＲＸ  ＩＥに示されたＤＲＸサイクル値を設定する。
【０２８９】
ＬＴＥに係るＴＡＵ要求及びアタッチ要求におけるＵＥ指定のＤＲＸ設定
ＬＴＥにおいて、トラッキングエリア更新（ＴＡＵ）要求又はアタッチ要求の一部として、ＵＥはＤＲＸ値をＭＭＥに送出する。ＭＭＥは、ＤＲＸ値を格納し、ＵＥをページングする際にそのＤＲＸ値を使用する。特に、ＵＥによって指定されたＤＲＸ値は、ｅＮＢに送出されるＳ１  ＡＰページングメッセージに含まれる。３ＧＰＰ  ＴＳ２４．３０１によると、
「ＵＥ固有のＤＲＸパラメータがＡＴＴＡＣＨ  ＲＥＱＵＥＳＴメッセージのＤＲＸパラメータＩＥに含まれた場合、ＭＭＥは、格納されたあらゆるＵＥ固有のＤＲＸパラメータを受信したパラメータで置換し、且つシグナリングデータ及びユーザデータのダウンリンク伝達のためにそれを使用するものとする。」
「ＵＥ固有のＤＲＸパラメータがＴＲＡＣＫＩＮＧ  ＡＲＥＡ  ＵＰＤＡＴＥ  ＲＥＱＵＥＳＴメッセージのＤＲＸパラメータＩＥに含まれた場合、ネットワークは、格納されたあらゆるＵＥ固有のＤＲＸパラメータを受信したパラメータで置換し、且つシグナリングデータ及びユーザデータのダウンリンク伝達のためにそれを使用するものとする。」
【０２９０】
３ＧＰＰ  ＴＳ２４．００８、セクション１０．５．５．６及び表１０．５．１３９によると、ＴＡＵ及びＡＴＴＡＣＨにおいて設定されるとり得るＤＲＸ値は、以下の通り規定される。「ＤＲＸパラメータ」情報エレメントにおけるオクテットのうちの１つは、ＤＲＸサイクルに関連した情報を含む４ビットフィールドを含む。このフィールドは２つの別個の値を表す。ｌｕモードの場合、このフィールドは、３ＧＰＰ  ＴＳ２５．３３１において規定されるように「ＣＮドメイン固有ＤＲＸサイクル長」を表す。Ｓ１モードの場合、このフィールドは、３ＧＰＰ  ＴＳ３６．３０４において規定されるようにＤＲＸサイクルパラメータＴを表す。
0006449817.tif 000003
ＴＳ３６．３０４によると、４ビットフィールドの他の全ての値は、このプロトコルのバージョンによる「ＭＳにより指定されないＣＮ固有のＤＲＸサイクル長係数」及び「ＭＳにより指定されないＤＲＸ値」として解釈される。（ＭＳは、移動局の略字である。）
【０２９１】
特殊なＤＲＸサイクル値を介したＬＢＬ識別
実施形態の１つの集合において、トラッキングエリア更新（ＴＡＵ）及び／又はアタッチ要求の一部であるＬＢＬデバイスは、ＬＢＬデバイスとしての自身のステータスの信号として、ＤＲＸサイクルの特定の値をＭＭＥに送出する。（特定の値は、現在のＬＴＥに準拠したＵＥデバイスにより使用されない又は一般に使用されない値であってもよい。）ＭＭＥは、ＬＢＬデバイスから受信したＤＲＸサイクル値を格納し、Ｓ１ＡＰページングメッセージの一部としてそれをｅＮＢに送出する。ｅＮＢは、ＤＲＸサイクルの特定の値をページングされるＵＥがＬＢＬデバイスである信号として認識するように構成される。従って、ＵＥをページングする場合、ｅＮＢは、本明細書において説明されるＬＢＬ固有のページング拡張機構のうちの１つ以上を起動する。例えばｅＮＢは、
ページングメッセージを搬送するサブフレームにおけるＰＤＣＣＨ及び／又はＰＤＳＣＨの送信電力を選択的に増大させ、且つ／あるいは
ＵＥが複数の送信にわたり受信したページングデータレコードを合成できるように、必要に応じてページングメッセージの送信を１回以上繰り返す。
【０２９２】
Ｓ１ＡＰメッセージが特定の値とは異なるＤＲＸサイクル値を含む場合又はＳ１ＡＰメッセージがＤＲＸサイクル値を含まない場合、ｅＮＢは、ＬＢＬ固有のページング拡張機構のうちのいずれも使用することなく対象のＵＥをページングする。
【０２９３】
いくつかの実施形態において、ｅＮＢ及びＵＥは、Ｓ１ＡＰメッセージに含まれたＤＲＸサイクル値に関係なく、ＵＥのアイドルモードのページングのためにセルのデフォルトＤＲＸサイクルを使用するように構成される。例えば、ｅＮＢ及びＵＥは、ＴＳ３６．３０４により規定された最小の計算を単に無視し、デフォルト値に等しいＤＲＸサイクル値を直接設定する。従って、Ｓ１ＡＰメッセージにおけるＤＲＸサイクル値がデフォルトＤＲＸサイクル値より小さい場合、ｅＮＢ及びＵＥは、依然としてデフォルトＤＲＸサイクル値を使用する。
【０２９４】
他の実施形態において、ｅＮＢ及びＵＥは、ＵＥのアイドルモードのページングのためにＤＲＸサイクル値を判定するために、ＴＳ３６．３０４において指定された最小の計算を尊重するように構成される。（最小の計算には、ＤＲＸサイクルが、Ｓ１  ＡＰメッセージにおいて与えられたデフォルトＤＲＸサイクル値及びＵＥ固有のＤＲＸサイクル値の最小値である必要がある。）
【０２９５】
実施形態の１つの集合において、ユーザ機器（ＵＥ）デバイスを動作する方法１６００は、図１６に示されるように実行される。（方法１６００は、図１〜図１５に関連して上述され且つ図１７〜図１９に関連して後述される特徴、要素及び実施形態のあらゆる部分集合を更に含む。）方法１６００は、リンクバジェットが制限されているＵＥデバイスにより実行される。方法１６００は、ＵＥデバイスの処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０２９６】
多数のステップに関して方法１６００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０２９７】
１６１０において、ＵＥデバイスは、自身がリンクバジェットが制限されている（ＬＢＬ）ことを示すために使用される第１の状態に設定されたＤＲＸサイクルインデックスを含む要求を、ネットワーク内のノードに送信する。
【０２９８】
１６１５において、ＵＥデバイスは、ネットワークの基地局からページングメッセージを受信する。基地局は、リンクバジェットが制限されているものとして識別されるＵＥデバイスと共に使用するために予約された１つ以上のページング拡張機構を使用して、ページングメッセージを送信するように構成される。１つ以上のページング拡張機構は、本明細書において開示されるページング拡張機構のうちのいずれであってもよい。
【０２９９】
いくつかの実施形態において、基地局は、（ａ）ＵＥデバイスがページングされることを示し、且つ、ＤＲＸサイクルインデックスを含むプロトコルメッセージをネットワークノードから受信し、（ｂ）プロトコルメッセージ内のＤＲＸサイクルインデックスが第１の状態に等しいと判定することに応答して、１つ以上のページング拡張機構を使用してページングメッセージを送信するように更に構成される。
【０３００】
いくつかの実施形態において、ＤＲＸサイクルインデックスの４つ以上のとり得る状態は、ＤＲＸサイクルの４つ以上の値にそれぞれ対応する。ＤＲＸサイクルインデックスの第１の状態は、４つ以上の状態のうちの１つに等しい。
【０３０１】
いくつかの実施形態において、第１の状態は、４つ以上のＤＲＸサイクル値のうちの最大値又は最小値に対応する。
【０３０２】
いくつかの実施形態において、ＤＲＸサイクルインデックスの形式はＬＴＥ規格（例えば、ＧＰＰ  ＴＳ２４．００８）に準拠する。これらの実施形態において、第１の状態は、ＬＴＥ規格に準拠する従来のユーザ機器デバイスにより一般に使用されない４つ以上のＤＲＸサイクル値のうちの１つに対応する。
【０３０３】
いくつかの実施形態において、ＵＥデバイスの動作の少なくとも１つのモードにおいて、ＤＲＸサイクルの４つ以上の値は、３２、６４、１２８及び２５６の値を含む。
【０３０４】
いくつかの実施形態において、ＬＴＥの「ＤＲＸパラメータ」情報エレメントは、ＤＲＸサイクルの使用可能な値が現在使用可能な値より大きいＤＲＸサイクルの１つ以上の値を含むように拡張される。上述の第１の状態は、これらのより大きな値のうちの１つに対応する状態である。
【０３０５】
いくつかの実施形態において、リンクバジェットが制限されている第２のＵＥデバイスは、トラッキングエリア更新及び／又はアタッチ要求をネットワークに送信する際に、リンクバジェットが制限されたデバイスとしての自身のステータスの信号として、ＤＲＸサイクルインデックスの第１の状態を使用するように構成される。
【０３０６】
いくつかの実施形態において、リンクバジェットが制限されていない第２のＵＥデバイスは、トラッキングエリア更新及び／又はアタッチ要求をネットワークに送信する際に、ＤＲＸサイクルインデックスの第１の状態を決して使用しないように構成される。
【０３０７】
いくつかの実施形態において、要求は、ネットワークへのアタッチの要求及び／又はトラッキングエリア更新の要求である。
【０３０８】
いくつかの実施形態において、ネットワークノードはモビリティ管理エンティティ（ＭＭＥ）である。いくつかの実施形態において、ネットワークノードは、ＬＴＥ規格に準拠するＭＭＥである。
【０３０９】
いくつかの実施形態において、１つ以上のページング拡張機構のうちの最初の機構は、ページングメッセージの複数の送信を実行する基地局を含む。これらの実施形態において、基地局からページングメッセージを受信する動作は、（ａ）ページングメッセージの複数の送信にそれぞれ対応するデータレコードを受信することと、（ｂ）データレコードの合成に基づいてページングメッセージを復号することとを含む。
【０３１０】
いくつかの実施形態において、ページングメッセージの複数の送信は、ページングサイクル（即ち、ＤＲＸサイクル）内で行われる。
【０３１１】
いくつかの実施形態において、ページングメッセージの送信のうちの最初の送信は、ページングフレームにおいて行われる。送信の連続した送信は、固定数のフレームだけ離間される。
【０３１２】
実施形態の１つの集合において、基地局を動作する方法１７００は、図１７に示されるように実行される。（方法１７００は、図１〜図１６に関連して上述され且つ図１８及び図１９に関連して後述される特徴、要素及び実施形態のあらゆる部分集合を更に含む。）方法１７００は、リンクバジェットが制限されているユーザ機器（ＵＥ）デバイスのページングを容易にするように実行される。方法は、基地局の処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０３１３】
多数のステップに関して方法１７００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０３１４】
１７１０において、基地局は、ユーザ機器（ＵＥ）デバイスがページングされることを示し、且つ、ＤＲＸサイクルインデックスを含むプロトコルメッセージを、ネットワーク内のノードから受信する。
【０３１５】
１７１５において、プロトコルメッセージ内のＤＲＸサイクルインデックスが第１の状態に設定されていると判定することに応答して、基地局は、１つ以上のページング拡張機構を使用してＵＥデバイスをページングする。ページング拡張機構は、リンクバジェットが制限されているＵＥデバイスと共に使用するために予約される。１つ以上のページング拡張機構は、本明細書において開示されるページング拡張機構のうちのいずれであってもよい。
【０３１６】
いくつかの実施形態において、ノードはモビリティ管理エンティティ（ＭＭＥ）であり、プロトコルメッセージはＳ１ＡＰメッセージである。
【０３１７】
いくつかの実施形態において、ページング拡張機構のうちの１つは、ＵＥデバイスがランダムアクセス手順を完了するまで、ページングメッセージをＵＥデバイスに繰り返し送信することを含む。
【０３１８】
いくつかの実施形態において、ページング拡張機構のうちの１つは、ページングメッセージをＵＥデバイスに複数回送信することを含む。
【０３１９】
いくつかの実施形態において、ページング拡張機構のうちの１つは、ページングメッセージを非ＬＢＬデバイスに送信するために使用される電力より高い電力で、ページングメッセージをＵＥデバイスに送信することを含む。
【０３２０】
いくつかの実施形態において、ＤＲＸサイクルインデックスの４つ以上のとり得る状態は、ＤＲＸサイクルの４つ以上の値にそれぞれ対応する。ＤＲＸサイクルインデックスの第１の状態は、４つ以上の状態のうちの１つに等しい。
【０３２１】
いくつかの実施形態において、第１の状態は、４つ以上のＤＲＸサイクル値のうちの最大値に対応する。
【０３２２】
いくつかの実施形態において、第１の状態は、４つ以上のＤＲＸサイクル値のうちの最小値に対応する。
【０３２３】
いくつかの実施形態において、ＤＲＸサイクルインデックスはＬＴＥ規格に準拠する。
【０３２４】
いくつかの実施形態において、第１の状態は、トラッキングエリア更新及びアタッチ要求を実行する際に従来のＬＴＥに準拠したユーザ機器デバイスにより一般に使用されない４つ以上のＤＲＸサイクル値のうちの１つに対応する。
【０３２５】
いくつかの実施形態において、方法１７００は、（ａ）第２のユーザ機器（ＵＥ）デバイスがページングされることを示し、且つ、第２のＤＲＸサイクルインデックスを含む第２のプロトコルメッセージを通信ノードから受信することと、（ｂ）第２のプロトコルメッセージにおける第２のＤＲＸサイクルインデックスが第１の状態とは異なる値に設定されると判定することに応答して、１つ以上のページング拡張機構のうちどれも使用せずに第２のＵＥデバイスをページングすることとを更に含む。
【０３２６】
いくつかの実施形態において、ＵＥデバイスをページングする動作は、ページングメッセージをＵＥデバイスに周期的に送信することを含む。
【０３２７】
いくつかの実施形態において、前記周期的に送信することの期間は、ＤＲＸサイクルインデックスの第１の状態に対応するＤＲＸサイクル値及び基地局に対応するセルのデフォルトＤＲＸサイクル値の最小値に等しい。
【０３２８】
いくつかの実施形態において、前記周期的に送信することの期間は、プロトコルメッセージにおけるＤＲＸサイクルインデックスの状態に関係なく、基地局に対応するセルのデフォルトＤＲＸサイクル値に等しい。
【０３２９】
いくつかの実施形態において、ページングメッセージを周期的に送信する動作は、１より大きい所定の回数ページングメッセージを送信することを含む。
【０３３０】
いくつかの実施形態において、ページングメッセージを周期的に送信する動作は、ＵＥデバイスが開始するランダムアクセス手順が完了するまで、ページングメッセージを繰り返し送信することを含む。
【０３３１】
フラグを介したデバイスのステータスのシグナリング
実施形態の１つの集合において、ユーザ機器（ＵＥ）デバイスを動作する方法１８００は、図１８に示されるように実行される。（方法１８００は、図１〜図１７に関連して上述され且つ図１９に関連して後述される特徴、要素及び実施形態のあらゆる部分集合を更に含む。）方法１８００は、ＵＥデバイスの処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０３３２】
多数のステップに関して方法１８００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０３３３】
１８１０において、ＵＥデバイスは、ＵＥデバイスがリンクバジェットが制限されているか否かを示すフラグを含む要求を、ネットワーク内のノードに送信する。いくつかの実施形態において、フラグは、ブール要素又は列挙要素により実現される。
【０３３４】
いくつかの実施形態において、ＬＴＥ仕様書は、新しい情報エレメントとしてフラグを含むように拡張される。新しい情報エレメントは、トラッキングエリア更新の一部又はアタッチ要求の一部、あるいはそれら双方として含まれる。あるいは、ＬＴＥにおける既存の情報エレメントのうちの１つは、追加フィールドとしてフラグを含むように拡張される。例えば、３ＧＰＰ  ＴＳ２４．００８の「ＤＲＸパラメータ」情報エレメントは、フラグをその情報エレメントにおける既存のフィールドに追加することで拡張される。
【０３３５】
１８１５において、ＵＥデバイスは、ネットワークの基地局からページングメッセージを受信する。基地局は、リンクバジェットが制限されているものとして識別されるＵＥデバイスと共に使用するために予約された１つ以上のページング拡張機構を使用して、ページングメッセージを送信するように構成される。
【０３３６】
いくつかの実施形態において、基地局は、（ａ）ＵＥデバイスがページングされることを示し、且つ、ＵＥデバイスがリンクバジェットが制限されているか否かを示すフラグを含むプロトコルメッセージをネットワークノードから受信し、（ｂ）フラグがリンクバジェット制限ステータスに対応する第１の状態に等しいと判定することに応答して、１つ以上のページング拡張機構を使用してＵＥデバイスをページングするように構成される。
【０３３７】
いくつかの実施形態において、ＵＥデバイスはリンクバジェットが制限されており、フラグは、ＵＥデバイスがリンクバジェットが制限されていることを示す第１の状態に設定される。
【０３３８】
いくつかの実施形態において、要求は、ネットワークへのアタッチの要求及び／又はトラッキングエリア更新の要求である。
【０３３９】
いくつかの実施形態において、１つ以上のページング拡張機構のうちの最初の機構は、ページングメッセージの複数の送信を実行する基地局を含む。これらの実施形態において、基地局からページングメッセージを受信する動作は、（ａ）ページングメッセージの複数の送信にそれぞれ対応するデータレコードを受信することと、（ｂ）データレコードの合成に基づいてページングメッセージを復号することとを含む。
【０３４０】
いくつかの実施形態において、ページングメッセージの複数の送信は、例えば様々に上述したように、ページングサイクル内で行われる。
【０３４１】
いくつかの実施形態において、ページングメッセージの送信のうちの最初の送信は、ページングフレームにおいて行われる。送信の連続した送信は、例えば様々に上述したように、固定数のフレームだけ離間される。
【０３４２】
実施形態の１つの集合において、無線ネットワーク内のノードは、リンクバジェットが制限されているＵＥデバイスのページングを容易にするために、以下の通り動作する。ノードは処理エージェントを含む。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。（ノードは、図１〜図１８に関連して上述され且つ図１９に関連して後述される特徴、要素及び実施形態のあらゆる部分集合を更に含む。）
【０３４３】
ノードは、ＵＥデバイスから要求（例えば、ネットワークへのアタッチの要求及び／又はトラッキングエリア更新の要求）を受信する。要求は、ＵＥデバイスがリンクバジェットが制限されているか否かを示すフラグを含む。ＵＥデバイスがページングされる必要があるというインジケーションに応答して、ノードは、トラッキングエリアにおける１つ又は複数の基地局にプロトコルメッセージを送出する。ノードは、ＵＥデバイスがリンクバジェットが制限されているか否かを示すＬＢＬステータスフラグを送信する。ＬＢＬステータスフラグは、ＵＥデバイスからの要求において受信されたフラグと一致する。要求がＤＲＸサイクルインデックスを更に含む場合、ノードは、プロトコルメッセージの一部としてＤＲＸサイクルインデックスを送信する。
【０３４４】
いくつかの実施形態において、ＬＴＥ仕様書は、Ｓ１  ＡＰメッセージ（ＭＭＥからｅＮＢへの）が上述のＬＢＬステータスフラグを含むように拡張される。上述のプロトコルメッセージは、そのような拡張されたＳ１  ＡＰメッセージにより実現される。
【０３４５】
実施形態の１つの集合において、基地局を動作する方法１９００は、図１９に示されるように実行される。（方法１９００は、図１〜図１８に関連して上述した特徴、要素及び実施形態のあらゆる部分集合を更に含む。）方法１９００は、リンクバジェットが制限されているユーザ機器（ＵＥ）デバイスのページングを容易にするように実行される。方法は、基地局の処理エージェントにより実行される。処理エージェントは、プログラム命令を実行する１つ以上のプロセッサ、１つ以上のプログラマブルハードウェアエレメント、ＡＳＩＣ等の１つ以上の専用ハードウェアデバイス又は上述のあらゆる組み合わせにより実現される。
【０３４６】
多数のステップに関して方法１９００を以下において説明するが、種々の実施形態において、ステップのうちの１つ以上が省略され、ステップのうちの２つ以上が少なくとも部分的に並列に実行され、要望に応じて１つ以上のステップが追加され、且つ説明される以外の異なる順序でステップが実行されてもよいことが理解されるべきである。
【０３４７】
１９１０において、基地局は、ユーザ機器（ＵＥ）デバイスがページングされることを示し、且つ、ＵＥデバイスがリンクバジェットが制限されているか否かを示すフラグを含むプロトコルメッセージをネットワーク内のノードから受信する。
【０３４８】
１９１５において、フラグが、リンクバジェット制限ステータスに対応する第１の状態に等しいと判定することに応答して、基地局は、１つ以上のページング拡張機構を使用してＵＥデバイスをページングする。
【０３４９】
いくつかの実施形態において、ノードはモビリティ管理エンティティ（ＭＭＥ）であり、プロトコルメッセージはＳ１ＡＰメッセージである。
【０３５０】
いくつかの実施形態において、１つ以上のページング拡張機構のうちの最初の機構は、ＵＥデバイスがランダムアクセス手順を完了するまで、ページングメッセージをＵＥデバイスに繰り返し送信することを含む。
【０３５１】
いくつかの実施形態において、１つ以上のページング拡張機構のうちの最初の機構は、ページングメッセージをＵＥデバイスに複数回送信することを含む。
【０３５２】
いくつかの実施形態において、１つ以上のページング拡張機構のうちの最初の機構は、ページングメッセージを非ＬＢＬデバイスに送信するために使用される電力より高い電力で、ページングメッセージをＵＥデバイスに送信することを含む。
【０３５３】
いくつかの実施形態において、方法１９００は、（ａ）第２のユーザ機器（ＵＥ）デバイスがページングされることを示し、且つ、第２のフラグを含む第２のプロトコルメッセージをネットワークノードから受信することと、（ｂ）第２のフラグが非リンクバジェット制限ステータスに対応する第２の状態に等しいと判定することに応答して、１つ以上のページング拡張機構のいずれも使用せずに第２のＵＥデバイスをページングすることとを更に含む。
【０３５４】
いくつかの実施形態において、ＵＥデバイスをページングする動作は、ページングメッセージをＵＥデバイスに周期的に送信することを含む。
【０３５５】
いくつかの実施形態において、ページングメッセージを周期的に送信する動作は、ページングメッセージを１より大きい所定の回数送信することを含む。
【０３５６】
いくつかの実施形態において、ページングメッセージを周期的に送信する動作は、ＵＥデバイスが開始するランダムアクセス手順が完了するまで、ページングメッセージを繰り返し送信することを含む。
【０３５７】
種々の更なるページングの実施形態
実施形態の１つの集合において、基地局を動作する方法は、リンクバジェットが制限されているユーザ機器（ＵＥ）デバイスのページングを容易にするために以下の通り実行される。方法は、基地局により複数の動作を実行することを含む。
【０３５８】
動作は、ダウンリンクデータストリームの特定のフレームの特定のサブフレームの制御チャネルにおいて第１のページング識別子を送信することを含む。第１のページング識別子は、リンクバジェットが制限されたＵＥデバイスのページング専用であり、リンクバジェットが制限されていないＵＥデバイスをページングするために使用される第２のページング識別子とは異なる。特定のフレーム及び特定のサブフレームは、ページングされる１つ以上のリンクバジェットが制限されたＵＥデバイスと関連付けられたページング機会インジケータ及びページングフレームインジケータに基づいて、第１のページングインジケータの前記送信のために選択される。
【０３５９】
動作は、特定のフレームの特定のサブフレームにおいて１つ以上のリンクバジェットが制限されたＵＥデバイスに対するページングペイロード情報を送信することを含む。
【０３６０】
動作は、特定のサブフレームの後に連続して後続する１つ以上のサブフレームの各々において同一のページングペイロード情報を送信することを含む。
【０３６１】
いくつかの実施形態において、特定のサブフレームの後に連続して後続する１つ以上のサブフレームの数は、１又は２又は３又は４である。
【０３６２】
いくつかの実施形態において、動作は、特定のフレームにおける特定のサブフレームの後に連続して後続する１つ以上のサブフレームの数を送信することを更に含む。
【０３６３】
いくつかの実施形態において、ページングペイロード情報は、１つ以上のリンクバジェットが制限されたＵＥ毎に対応する加入者識別番号を含む。
【０３６４】
いくつかの実施形態において、ページング機会インジケータは、集合｛０，５｝のメンバである。
【０３６５】
いくつかの実施形態において、動作は、少なくとも１つ以上のリンクバジェットが制限されたＵＥデバイスが基地局にまだ接続されていないというインジケーションに応答して、ダウンリンクデータストリームの第１の追加フレームの２つ以上のサブフレームの各々においてページングペイロード情報を送信することを更に含む。第１の追加フレームは、特定のフレームの後に１つのＤＲＸサイクルを発生させる。
【０３６６】
いくつかの実施形態において、動作は、少なくとも１つ以上のリンクバジェットが制限されたＵＥデバイスが基地局にまだ接続されていないというインジケーションに応答して、最大ＮＳＣ−１回の送信反復を実行することを更に含み、ＮＳＣは２以上である。各送信反復は、（ａ）特定のフレームの後にＤＲＸサイクルの正の整数倍を発生させる追加フレームの２つ以上のサブフレームの各々における追加フレームの２つ以上のサブフレームの各々において符号化されているページングペイロード情報を送信することと、（ｂ）１つ以上のリンクバジェットが制限されたＵＥデバイスの全てが基地局にアクセスしたという判定に応答して、更なる送信反復を実行しないこととを含む。
【０３６７】
いくつかの実施形態において、動作は、１つ以上のリンクバジェットが制限されたＵＥデバイスが全て基地局に接続したというインジケーションに応答して、１つ以上の他のＵＥデバイスへの新しいページング送信を開始することを更に含む。
【０３６８】
実施形態の１つの集合において、リンクバジェットが制限されているユーザ機器（ＵＥ）デバイスを動作する方法は、以下の通り実行される。方法は、ＵＥデバイスにより複数の動作を実行することを含む。
【０３６９】
動作は、（ａ）基地局が送信した信号から受信した１つ以上のページングパラメータ及び（ｂ）ＵＥデバイスの加入者識別番号に基づいて、ページングフレームインジケータ及びページング機会インジケータを算出することを含む。
【０３７０】
動作は、前記信号の特定のフレームの特定のサブフレームの制御チャネルが、リンクバジェットが制限されたＵＥデバイスのページング専用であり且つリンクバジェットが制限されていないＵＥデバイスをページングするために使用される第２のページング識別子とは異なる第１のページング識別子を含むかを判定することを含む。特定のフレーム及び特定のサブフレームは、ページングフレームインジケータ及びページング機会インジケータに基づいて前記信号から選択される。
【０３７１】
動作は、特定のフレームの特定のサブフレームから初期シンボルデータセットを受信することを含む。
【０３７２】
動作は、特定のフレーム内の特定のサブフレームの後に連続的に後続する１つ以上のサブフレームからそれぞれ１つ以上の追加シンボルデータセットを受信することを含む。同一のページングペイロード情報は、特定のサブフレーム及び特定のサブフレームの後に連続的に後続する１つ以上のサブフレームの各々に含まれている。
【０３７３】
動作は、初期シンボルデータセット及び１つ以上の追加シンボルデータセットに基づいて、ページングペイロード情報を復号することを含む。
【０３７４】
いくつかの実施形態において、特定のサブフレームの後に連続して後続する１つ以上のサブフレームの数は、１又は２又は３又は４である。
【０３７５】
いくつかの実施形態において、特定のサブフレームの後に連続して後続する１つ以上のサブフレームの数は、前記信号から受信される。
【０３７６】
いくつかの実施形態において、ページング機会インジケータは、集合｛０，５｝のメンバである。
【０３７７】
いくつかの実施形態において、動作は、前記復号がページングペイロード情報を正確に回復することに失敗したと判定することに応答して、（ａ）特定のフレームの後に１つのＤＲＸサイクルを発生させる第１の追加フレームから２つ以上の更なるシンボルデータセットを受信することであり、ページングペイロード情報が第１の追加フレームの２つ以上のサブフレームの各々に含まれており、更なるシンボルデータセットの各々が第１の追加フレームの２つ以上のサブフレームのそれぞれ１つに対応することと、（ｂ）初期シンボルデータセット、１つ以上の追加シンボルデータセット及び２つ以上の更なるシンボルデータセットに基づいてページングペイロード情報を復号することとを更に含む。
【０３７８】
いくつかの実施形態において、動作は、前記復号がページングペイロード情報を正確に回復することに失敗したと判定することに応答して、最大ＮＳＣ−１回の処理反復を実行することを更に含み、ＮＳＣは２以上であり、各処理反復は、（ａ）特定のフレームの後にＤＲＸサイクルの正の整数倍を発生させる追加フレームから２つ以上の更なるシンボルデータセットを受信することとであり、ページングペイロード情報が、追加フレームの２つ以上のサブフレームの各々に含まれており、更なるシンボルデータセットの各々が、追加フレームの２つ以上のサブフレームのうちのそれぞれの１つに対応することと、（ｂ）２つ以上の更なるシンボルデータセットを含むデータに基づいてページングペイロード情報を復号することと、（ｃ）基地局にアクセスすること及び前記復号がページングペイロード情報を正常に回復する場合に更なる処理反復を実行しないこととを含む。
【０３７９】
いくつかの実施形態において、整数ＮＳＣを示す情報は、システム情報同報通信に含まれる。
【０３８０】
いくつかの実施形態において、動作は、前記復号がページングペイロード情報を正確に回復したと判定することに応答して、ＵＥデバイスがページングされていることをページングペイロード情報が示す場合に、ランダムアクセス手順を実行して基地局にアクセスすることを更に含む。
【０３８１】
実施形態の１つの集合において、基地局を動作する方法は以下の動作を含む。
【０３８２】
方法は、リンクバジェットが制限されたＵＥデバイスに対するページングメッセージを送信することを含む。ページングメッセージは、ページング制御情報及びページングペイロード情報を含む。ページング制御情報の少なくとも一部は、リンクバジェットが制限されていないＵＥデバイスをページングするために基地局が使用する第２のＰ−ＲＮＴＩ（ページング−無線ネットワーク一時識別子）とは異なる第１のＰ−ＲＮＴＩを用いてスクランブルされる。
【０３８３】
いくつかの実施形態において、ページングメッセージを動作する動作は、ページング制御情報を含む制御チャネルエレメントの電力を増大させることを含む。電力の前記増大は、リンクバジェットが制限されていないＵＥデバイスにページング制御を送信するために使用される電力と関連している。
【０３８４】
いくつかの実施形態において、方法は、リンクバジェットが制限されていないＵＥデバイスに対する第２のページングメッセージを送信することを更に含む。第２のページングメッセージは、第２のページング制御情報及び第２のページングペイロード情報を含む。第２のページング制御情報の少なくとも一部は、第２のＰ−ＲＮＴＩ（ページング−無線ネットワーク一時識別子）を用いてスクランブルされる。
【０３８５】
いくつかの実施形態において、ページングメッセージは、特定のフレームの特定のサブフレームにおいて送信される。特定のサブフレームのサブフレーム番号及び特定のサブフレームのフレーム番号は、ＤＲＸサイクル値、パラメータｎＢ及びＵＥデバイスの加入者識別番号に基づいてページングメッセージの前記送信のために選択される。
【０３８６】
実施形態の１つの集合において、基地局は、アンテナサブシステムに接続された少なくとも１つの無線装置と、少なくとも１つの無線装置に接続された処理エージェントとを含む。処理エージェントは、少なくとも１つの無線装置を介して、リンクバジェットが制限されたＵＥデバイスに対するページングメッセージを送信するように構成される。ページングメッセージは、ページング制御情報及びページングペイロード情報を含む。ページング制御情報の少なくとも一部は、リンクバジェットが制限されていないＵＥデバイスをページングするために基地局が使用する第２のＰ−ＲＮＴＩ（ページング−無線ネットワーク一時識別子）とは異なる第１のＰ−ＲＮＴＩを用いてスクランブルされる。
【０３８７】
いくつかの実施形態において、ページングメッセージを前記送信することは、ページング制御情報を含む制御チャネルエレメントの電力を増大させること含む。電力の前記増大は、リンクバジェットが制限されていないＵＥデバイスにページング制御を送信するために使用される電力と関連している。
【０３８８】
いくつかの実施形態において、処理エージェントは、少なくとも１つの無線装置を介して、リンクバジェットが制限されていないＵＥデバイスに対する第２のページングメッセージを送信するように更に構成される。第２のページングメッセージは、第２のページング制御情報及び第２のページングペイロード情報を含む。第２のページング制御情報の少なくとも一部は、第２のＰ−ＲＮＴＩ（ページング−無線ネットワーク一時識別子）を用いてスクランブルされる。
【０３８９】
いくつかの実施形態において、ページングメッセージは、特定のフレームの特定のサブフレームにおいて送信される。特定のサブフレームのサブフレーム番号及び特定のサブフレームのフレーム番号は、ＤＲＸサイクル値、パラメータｎＢ及びＵＥデバイスの加入者識別番号に基づいてページングメッセージの前記送信のために選択される。
【０３９０】
実施形態の１つの集合において、ユーザ機器（ＵＥ）デバイスを動作する方法は、以下の通り実行される。
【０３９１】
方法は、複数のサンプルを含むデータレコードを取得するためにダウンリンク信号を受信することを含む。
【０３９２】
方法は、前記ＵＥデバイスがリンクバジェットが制限されているものとして分類されているという判定に応答して、（ａ）データレコードの制御チャネルが、リンクバジェットが制限されていないＵＥデバイスをページングするために基地局が使用する第２のＰ−ＲＮＴＩ（ページング−無線ネットワーク一時識別子）とは異なる第１のＰ−ＲＮＴＩを用いてスクランブルされているかを判定することと、（ｂ）制御チャネルが第１のＰ−ＲＮＴＩを用いてスクランブルされている前記少なくとも一部分を含むと識別する前記判定に応答して、制御チャネルにおけるＵＥデバイスのページングペイロード情報を含むリソースの場所を識別するページング制御情報を復号することとを含む動作を実行することを含む。
【０３９３】
いくつかの実施形態において、基地局は、ダウンリンク信号を送信するように構成される。ダウンリンク信号の前記送信は、ページング制御情報を含む制御チャネルエレメントの電力を増大させること含む。電力の前記増大は、リンクバジェットが制限されていないＵＥデバイスにページング制御を送信するために使用される電力と関連している。
【０３９４】
いくつかの実施形態において、データレコードは、ダウンリンク信号の特定のフレームの特定のサブフレームから取得される。特定のサブフレームのサブフレーム番号及び特定のサブフレームのフレーム番号は、基地局により同報通信されるページング構成情報及びＵＥデバイスの加入者識別番号に基づいて判定される。
【０３９５】
いくつかの実施形態において、方法は、複数のサンプルを含む第２のデータレコードを取得するために第２のダウンリンク信号を受信することと、前記ＵＥデバイスがリンクバジェットが制限されていないものとして分類されているという判定に応答して、第２のデータレコードの第２の制御チャネルが第２のＰ−ＲＮＴＩを用いてスクランブルされている少なくとも一部分を含むかを判定すること及び第２の制御チャネルが第２のＰ−ＲＮＴＩを用いてスクランブルされている前記少なくとも一部分を含むことを識別する前記判定に応答して、第２の制御チャネルにおけるＵＥデバイスに対する第２のページングペイロード情報を含む第２のリソースの場所を識別する第２のページング制御情報を復号することを含む動作を実行することとを更に含む。
【０３９６】
実施形態の１つの集合において、基地局を動作する方法は以下の通り実行される。方法は、リンクバジェットが制限されたＵＥデバイスに対するページングメッセージをＫ回送信することを含む。Ｋは１より大きく、集合｛０，１，２，．．．，Ｋ−１｝におけるｋ毎に、Ｋ回の送信のｋ番目の送信は、特定のフレームの後にｋＮ個のフレームを発生させるそれぞれのフレームにおいて行われ、Ｎは１以上の整数である。Ｋ回の送信の各々は、それぞれのフレームのｊ番目のサブフレームにおいて行われる。サブフレーム番号ｊは、Ｋ回の送信に対して同一であり、リンクバジェットが制限されていないＵＥデバイスをページングするために使用されるページング機会の第２の集合とは別のページング機会の第１の集合から選択される。
【０３９７】
いくつかの実施形態において、ページングメッセージは、ページング制御情報及びページングペイロード情報を含む。Ｋ回の送信毎に、ページング制御情報は、それぞれのフレームのｊ番目のサブフレームの制御チャネルに含まれ、ページングペイロード情報は、それぞれのフレームのｊ番目のサブフレームの共有チャネルに含まれる。
【０３９８】
いくつかの実施形態において、各共有におけるページングペイロード情報を搬送するために使用されるリソースの集合は、Ｋ回の送信にわたり変化しない。
【０３９９】
いくつかの実施形態において、ページング制御情報の送信電力は、リンクバジェットが制限されていないＵＥデバイスに送信されるページング制御の送信電力と比較して増大される。
【０４００】
いくつかの実施形態において、ページングペイロード情報の送信電力は、リンクバジェットが制限されていないＵＥデバイスに送信されるページングペイロードの送信電力と比較して増大される。
【０４０１】
いくつかの実施形態において、ページングメッセージは、ページング制御情報及びページングペイロード情報を含む。Ｋ回の送信毎に、ページングペイロード情報は、同一の変調及び符号化方式（ＭＣＳ）を使用して送信される。
【０４０２】
実施形態の１つの集合において、リンクバジェットが制限されているユーザ機器（ＵＥ）デバイスを動作する方法は、以下の通り実行される。
【０４０３】
方法は、ページングメッセージのＫ個のそれぞれのコピーを含むダウンリンク信号を基地局から受信する。Ｋは１より大きく、集合｛０，１，２，．．．，Ｋ−１｝におけるｋ毎に、Ｋ個のコピーのｋ番目のコピーは、ダウンリンク信号の特定のフレームの後にｋＮ個のフレームを発生させるそれぞれのフレームにおいて発生し、Ｎは１以上の整数である。Ｋ個のコピーの各々は、それぞれのフレームのｊ番目のサブフレームにおいて発生する。サブフレーム番号ｊは、Ｋ個のコピーに対して同一であり、リンクバジェットが制限されていないＵＥデバイスをページングするために基地局により構成されたページング機会の第２の集合とは別のページング機会の第１の集合から選択される。
【０４０４】
方法は、ページングメッセージのＫ個のコピーからページングメッセージを復号しようと試行することを更に含む。
【０４０５】
方法は、ページングメッセージを復号する前記試行が成功したと判定することに応答して、ページングメッセージがＵＥデバイスをページングメッセージの対象として識別する情報を含む場合にランダムアクセス手順を開始することを更に含む。
【０４０６】
いくつかの実施形態において、ページングメッセージを復号しようと試行する動作は、ページングメッセージのＫ個のそれぞれのコピーのＰＤＣＣＨ部分に基づいてページングメッセージのページング制御情報を復号しようと試行することと、ページング制御情報が正常に復号されると判定することに応答して、ページングメッセージのＫ個のそれぞれのコピーのＰＤＳＣＨ部分に基づいてページングメッセージのページングペイロード情報を復号しようと試行することとを含む。
【０４０７】
いくつかの実施形態において、ページングメッセージは、ページング制御情報及びページングペイロード情報を含む。ページングメッセージのＫ個のそれぞれのコピー毎に、それぞれのフレームのｊ番目のサブフレームにおいてページングペイロード情報を搬送するために使用されるリソースの集合は、Ｋ回のそれぞれのコピーにわたり変化しない。
【０４０８】
実施形態の１つの集合において、基地局を動作する方法は以下の通り実行される。
【０４０９】
方法は、ユーザ機器（ＵＥ）デバイスをページングする個別の要求を示す複数のプロトコルメッセージをネットワークエンティティから受信することを含む。
【０４１０】
方法は、各々がプロトコルメッセージのうちの対応するメッセージを受信することに応答して受信されるページングメッセージをＵＥデバイスに送信することを更に含む。Ｎ番目のページングメッセージの後の各ページングメッセージに対する送信の電力は、ページングメッセージの最初のＮ個に対する送信の電力より大きく、Ｎは正の整数である。
【０４１１】
いくつかの実施形態において、Ｎは１より大きい。
【０４１２】
いくつかの実施形態において、ネットワークエンティティは、ＬＴＥネットワークのモビリティ管理エンティティ（ＭＭＥ）であり、プロトコルメッセージはＳ１  ＡＰメッセージである。
【０４１３】
いくつかの実施形態において、送信の電力は、Ｎ番目のページングメッセージの後の連続したページングメッセージ毎に増加する。
【０４１４】
いくつかの実施形態において、方法は、それまでにＵＥデバイスに送信された複数のページングメッセージのカウントを維持することと、複数のページングメッセージのうちの現在のメッセージの送信の電力を判定するために、カウントを正の整数Ｎと比較することとを更に含む。
【０４１５】
いくつかの実施形態において、方法は、受信された前記複数のプロトコルメッセージの数のカウントを維持することと、複数のページングメッセージのうちの現在のメッセージの送信の電力を判定するために、カウントを正の整数Ｎに依存する閾値と比較することとを更に含む。
【０４１６】
実施形態の１つの集合において、基地局を動作する方法は以下の通り実行される。
【０４１７】
方法は、ユーザ機器（ＵＥ）デバイスをページングする個別の要求を示す複数のプロトコルメッセージをネットワークエンティティから受信することを含む。
【０４１８】
方法は、それぞれの電力レベルでページングメッセージをＵＥデバイスに送信するように基地局の送信機に指示することを更に含む。ページングメッセージ毎に、ページングメッセージを送信するように送信機に前記指示することは、プロトコルメッセージのうちの対応するメッセージを受信することに応答して実行される。Ｎ番目のページングメッセージの後のページングメッセージ毎の電力レベルは、ページングメッセージの最初のＮ個に対するＮ個の電力レベルより大きく、Ｎは正の整数である。
【０４１９】
いくつかの実施形態において、方法は、複数のプロトコルメッセージのうちの最初のメッセージの到着時間に開始する、所定の時間幅を有する時間ウィンドウ内でプロトコルメッセージが発生することを判定することを更に含む。
【０４２０】
いくつかの実施形態において、Ｎは１より大きい。
【０４２１】
いくつかの実施形態において、ネットワークエンティティは、ＬＴＥネットワークのモビリティ管理エンティティ（ＭＭＥ）であり、プロトコルメッセージはＳ１  ＡＰメッセージである。
【０４２２】
いくつかの実施形態において、電力レベルは、Ｎ番目のページングメッセージの後の連続したページングメッセージ毎に増加する。
【０４２３】
いくつかの実施形態において、方法は、（ａ）事前にＵＥデバイスに送信されているページングメッセージのカウントを維持することと、（ｂ）ページングメッセージのうちの現在のメッセージに対する電力レベルを判定するために、カウントを正の整数Ｎと比較することとを更に含む。
【０４２４】
いくつかの実施形態において、方法は、（ａ）受信されている前記プロトコルメッセージの数のカウントを維持することと、（ｂ）ページングメッセージのうちの現在のメッセージに対する電力レベルを判定するために、カウントを正の整数Ｎに依存する閾値と比較することとを更に含む。
【０４２５】
実施形態の１つの集合において、基地局は、アンテナサブシステムに接続された少なくとも１つの無線装置と、少なくとも１つの無線装置に接続された処理エレメントとを含む。処理エレメントは、少なくとも１つの無線装置を介して、第１の送信電力で送信される１つ以上の第１のページングメッセージを第１のユーザ機器（ＵＥ）デバイスに送信し、且つ少なくとも１つの無線装置を介して、第１の送信電力より大きな送信電力で送信される１つ以上の更なるページングメッセージを送信するように構成される。第１のＵＥデバイスが１つ以上の第１のページングメッセージに応答するのに失敗したことに応答して、１つ以上のページングメッセージは、より大きな送信電力で第１のＵＥデバイスに送信される。
【０４２６】
いくつかの実施形態において、基地局は、ページングメッセージの数が閾値となるまで、複数の更なるページングメッセージを第１のＵＥデバイスに送信するように構成される。
【０４２７】
いくつかの実施形態において、基地局は、第１のＵＥデバイスへの複数の更なるページングメッセージのうちの連続したメッセージ毎の送信電力を増大させるように構成される。
【０４２８】
実施形態の１つの集合において、リンクバジェットが制限されているユーザ機器（ＵＥ）デバイスを動作する方法は以下の通り実行される。
【０４２９】
方法は、ＵＥデバイスがリンクバジェットが制限されている（ＬＢＬ）ことを示すために使用される第１の状態に設定されるＤＲＸサイクルインデックスを含む要求をネットワーク内のノードに送信することを含む。
【０４３０】
方法は、ネットワークの基地局からページングメッセージを受信することを更に含む。基地局は、リンクバジェットが制限されているものとして識別されるＵＥデバイスと共に使用するために予約された１つ以上のページング拡張機構を使用してページングメッセージを送信するように構成される。
【０４３１】
いくつかの実施形態において、基地局は、ＵＥデバイスがページングされることを示し、且つ、ＤＲＸサイクルインデックスを含むプロトコルメッセージをネットワークノードから受信し、且つプロトコルメッセージにおけるＤＲＸサイクルインデックスが第１の状態に等しいと判定することに応答して、１つ以上のページング拡張機構を使用してページングメッセージを送信するように構成される。
【０４３２】
いくつかの実施形態において、ＤＲＸサイクルインデックスの４つ以上のとり得る状態は、ＤＲＸサイクルの４つ以上の値にそれぞれ対応する。ＤＲＸサイクルインデックスの第１の状態は、４つ以上の状態のうちの１つに等しい。
【０４３３】
いくつかの実施形態において、第１の状態は、４つ以上のＤＲＸサイクル値のうちの最大値に対応する。
【０４３４】
いくつかの実施形態において、第１の状態は、４つ以上のＤＲＸサイクル値のうちの最小値に対応する。
【０４３５】
いくつかの実施形態において、ＤＲＸサイクルインデックスの形式はＬＴＥ規格（例えば、３ＧＰＰ  ＴＳ２４．００８）に準拠する。
【０４３６】
いくつかの実施形態において、第１の状態は、ＬＴＥ規格に準拠する従来のユーザ機器デバイスにより一般に使用されない４つ以上のＤＲＸサイクル値のうちの１つに対応する。
【０４３７】
いくつかの実施形態において、ＵＥデバイスの動作の少なくとも１つのモードにおいて、ＤＲＸサイクルの４つ以上の値は、３２、６４、１２８及び２５６の値を含む。
【０４３８】
いくつかの実施形態において、リンクバジェットが制限されている第２のＵＥデバイスは、トラッキングエリア更新及び／又はアタッチ要求をネットワークに送信する際に、リンクバジェットが制限されたデバイスとしての自身のステータスの信号として、ＤＲＸサイクルインデックスの第１の状態を使用するように構成される。
【０４３９】
いくつかの実施形態において、リンクバジェットが制限されていない第２のＵＥデバイスは、トラッキングエリア更新及び／又はアタッチ要求をネットワークに送信する際に、ＤＲＸサイクルインデックスの第１の状態を決して使用しないように構成される。
【０４４０】
いくつかの実施形態において、要求は、ネットワークへのアタッチの要求及び／又はトラッキングエリア更新の要求である。
【０４４１】
いくつかの実施形態において、ネットワークノードはモビリティ管理エンティティ（ＭＭＥ）である。
【０４４２】
いくつかの実施形態において、ＭＭＥはＬＴＥ規格に準拠する。
【０４４３】
いくつかの実施形態において、１つ以上のページング拡張機構のうちの最初の機構は、ページングメッセージの複数の送信を実行する基地局を含む。基地局からページングメッセージを前記受信することは、ページングメッセージの複数の送信にそれぞれ対応するデータレコードを受信することと、データレコードの合成に基づいてページングメッセージを復号することとを含む。
【０４４４】
いくつかの実施形態において、ページングメッセージの複数の送信は、ページングサイクル内で行われる。
【０４４５】
いくつかの実施形態において、ページングメッセージの送信のうちの最初の送信は、ページングフレームにおいて行われる。送信の連続した送信は、固定数のフレームだけ離間される。
【０４４６】
実施形態の１つの集合において、基地局を動作する方法は以下の通り実行される。
【０４４７】
方法は、ユーザ機器（ＵＥ）デバイスがページングされることを示し、且つ、ＤＲＸサイクルインデックスを含むプロトコルメッセージをネットワーク内のノードから受信することを含む。
【０４４８】
方法は、プロトコルメッセージにおけるＤＲＸサイクルインデックスが第１の状態に設定されると判定することに応答して、１つ以上のページング拡張機構を使用してＵＥデバイスをページングすることを更に含む。
【０４４９】
いくつかの実施形態において、ノードはモビリティ管理エンティティ（ＭＭＥ）であり、プロトコルメッセージはＳ１ＡＰメッセージである。
【０４５０】
いくつかの実施形態において、１つ以上のページング拡張機構のうちの最初の機構は、ＵＥデバイスがランダムアクセス手順を完了するまで、ページングメッセージをＵＥデバイスに繰り返し送信することを含む。
【０４５１】
いくつかの実施形態において、１つ以上のページング拡張機構のうちの最初の機構は、ページングメッセージをＵＥデバイスに複数回送信することを含む。
【０４５２】
いくつかの実施形態において、１つ以上のページング拡張機構のうちの最初の機構は、ページングメッセージを非ＬＢＬデバイスに送信するために使用される電力より高い電力で、ページングメッセージをＵＥデバイスに送信することを含む。
【０４５３】
いくつかの実施形態において、ＤＲＸサイクルインデックスの４つ以上のとり得る状態は、ＤＲＸサイクルの４つ以上の値にそれぞれ対応する。ＤＲＸサイクルインデックスの第１の状態は、４つ以上の状態のうちの１つに等しい。
【０４５４】
いくつかの実施形態において、第１の状態は、４つ以上のＤＲＸサイクル値のうちの最大値に対応する。
【０４５５】
いくつかの実施形態において、第１の状態は、４つ以上のＤＲＸサイクル値のうちの最小値に対応する。
【０４５６】
いくつかの実施形態において、ＤＲＸサイクルインデックスはＬＴＥ規格に準拠する。
【０４５７】
いくつかの実施形態において、第１の状態は、トラッキングエリア更新及びアタッチ要求を実行する際に従来のＬＴＥに準拠したユーザ機器デバイスにより一般に使用されない４つ以上のＤＲＸサイクル値のうちの１つに対応する。
【０４５８】
いくつかの実施形態において、方法は、第２のユーザ機器（ＵＥ）デバイスがページングされることを示し、且つ、第２のＤＲＸサイクルインデックスを含む第２のプロトコルメッセージをネットワークノードから受信することと、第２のプロトコルメッセージにおける第２のＤＲＸサイクルインデックスが第１の状態とは異なる値に設定されると判定することに応答して、１つ以上のページング拡張機構のうちどれも使用せずに第２のＵＥデバイスをページングすることとを更に含む。
【０４５９】
いくつかの実施形態において、ＵＥデバイスをページングする動作は、ページングメッセージをＵＥデバイスに周期的に送信することを含む。
【０４６０】
いくつかの実施形態において、前記周期的に送信することの期間は、ＤＲＸサイクルインデックスの第１の状態に対応するＤＲＸサイクル値及び基地局に対応するセルのデフォルトＤＲＸサイクル値の最小値に等しい。
【０４６１】
いくつかの実施形態において、前記周期的に送信することの期間は、プロトコルメッセージにおけるＤＲＸサイクルインデックスの状態に関係なく、基地局に対応するセルのデフォルトＤＲＸサイクル値に等しい。
【０４６２】
いくつかの実施形態において、ページングメッセージを前記周期的に送信する動作は、１より大きい所定の回数ページングメッセージを送信することを含む。
【０４６３】
いくつかの実施形態において、ページングメッセージを周期的に送信する動作は、ＵＥデバイスが開始するランダムアクセス手順が完了するまで、ページングメッセージを繰り返し送信することを含む。
【０４６４】
実施形態の１つの集合において、ユーザ機器（ＵＥ）デバイスを動作する方法は以下の通り実行される。
【０４６５】
方法は、ＵＥデバイスがリンクバジェットが制限されているか否かを示すフラグを含む要求をネットワーク内のノードに送信することを含む。
【０４６６】
方法は、ネットワークの基地局からページングメッセージを受信することを更に含む。基地局は、リンクバジェットが制限されているものとして識別されるＵＥデバイスと共に使用するために予約された１つ以上のページング拡張機構を使用してページングメッセージを送信するように構成される。
【０４６７】
いくつかの実施形態において、基地局は、ＵＥデバイスがページングされることを示し、且つ、ＵＥデバイスがリンクバジェットが制限されているか否かを示すフラグを含むプロトコルメッセージをネットワークノードから受信し、且つフラグがリンクバジェット制限ステータスに対応する第１の状態に等しいと判定することに応答して、１つ以上のページング拡張機構を使用してＵＥデバイスをページングするように構成される。
【０４６８】
いくつかの実施形態において、ＵＥデバイスはリンクバジェットが制限されており、フラグは、ＵＥデバイスがリンクバジェットが制限されていることを示す第１の状態に設定される。
【０４６９】
いくつかの実施形態において、要求は、ネットワークへのアタッチの要求及び／又はトラッキングエリア更新の要求である。
【０４７０】
いくつかの実施形態において、１つ以上のページング拡張機構のうちの最初の機構は、ページングメッセージの複数の送信を実行する基地局を含む。基地局からページングメッセージを前記受信することは、ページングメッセージの複数の送信にそれぞれ対応するデータレコードを受信することと、データレコードの合成に基づいてページングメッセージを復号することとを含む。
【０４７１】
いくつかの実施形態において、ページングメッセージの複数の送信は、ページングサイクル内で行われる。
【０４７２】
いくつかの実施形態において、ページングメッセージの送信のうちの最初の送信は、ページングフレームにおいて行われる。送信の連続した送信は、固定数のフレームだけ離間される。
【０４７３】
実施形態の１つの集合において、基地局を動作する方法は以下の通り実行される。
【０４７４】
方法は、ユーザ機器（ＵＥ）デバイスがページングされることを示し、且つ、ＵＥデバイスがリンクバジェットが制限されているか否かを示すフラグを含むプロトコルメッセージをネットワーク内のノードから受信することを含む。
【０４７５】
方法は、フラグがリンクバジェット制限ステータスに対応する第１の状態に等しいと判定することに応答して、１つ以上のページング拡張機構を使用してＵＥデバイスをページングすることを更に含む。
【０４７６】
いくつかの実施形態において、ノードはモビリティ管理エンティティ（ＭＭＥ）であり、プロトコルメッセージはＳ１ＡＰメッセージである。
【０４７７】
いくつかの実施形態において、１つ以上のページング拡張機構のうちの最初の機構は、ＵＥデバイスがランダムアクセス手順を完了するまで、ページングメッセージをＵＥデバイスに繰り返し送信することを含む。
【０４７８】
いくつかの実施形態において、１つ以上のページング拡張機構のうちの最初の機構は、ページングメッセージをＵＥデバイスに複数回送信することを含む。
【０４７９】
いくつかの実施形態において、１つ以上のページング拡張機構のうちの最初の機構は、ページングメッセージを非ＬＢＬデバイスに送信するために使用される電力より高い電力で、ページングメッセージをＵＥデバイスに送信することを含む。
【０４８０】
いくつかの実施形態において、方法は、第２のユーザ機器（ＵＥ）デバイスがページングされることを示し、且つ、第２のフラグを含む第２のプロトコルメッセージをネットワークノードから受信することと、第２のフラグが非リンクバジェット制限ステータスに対応する第２の状態に等しいと判定することに応答して、１つ以上のページング拡張機構のいずれも使用せずに第２のＵＥデバイスをページングすることとを更に含む。
【０４８１】
いくつかの実施形態において、ＵＥデバイスをページングする動作は、ページングメッセージをＵＥデバイスに周期的に送信することを含む。
【０４８２】
いくつかの実施形態において、ページングメッセージを周期的に送信する動作は、ページングメッセージを１より大きい所定の回数送信することを含む。
【０４８３】
いくつかの実施形態において、ページングメッセージを周期的に送信する動作は、ＵＥデバイスが開始するランダムアクセス手順が完了するまで、ページングメッセージを繰り返し送信することを含む。
【０４８４】
実施形態の１つの集合において、通信ネットワークにおいてノードを動作する方法は以下の通り実行される。
【０４８５】
方法は、ＵＥデバイスから要求を受信することを含む。
【０４８６】
方法は、第２のＵＥデバイスがリンクバジェットが制限されているというインジケーションを要求が含むと判定することに応答して、とり得るＳ−ＴＭＳＩ値の空間の予約済みの部分集合から選択されるＳ−ＴＭＳＩ値をＵＥデバイスに割り当てることを更に含む。予約済みの部分集合は、リンクバジェットが制限されたＵＥデバイスに対して予約される。
【０４８７】
方法は、ＵＥデバイスがページングされることを示し、且つ、割り当てられたＳ−ＴＭＳＩ値を含むプロトコルメッセージを基地局に送信することを更に含む。
【０４８８】
いくつかの実施形態において、方法は、（ａ）第２のＵＥデバイスから第２の要求を受信することと、（ｂ）ＵＥデバイスがリンクバジェットが制限されているというインジケーションを第２の要求が含まないと判定することに応答して、予約済みの部分集合の補集合から選択される第２のＳ−ＴＭＳＩ値をＵＥデバイスに割り当てることと、（ｃ）第２のＵＥデバイスがページングされることを示し、且つ、第２のＳ−ＴＭＳＩ値を含む第２のプロトコルメッセージを基地局に送信することとを更に含む。
【０４８９】
いくつかの実施形態において、要求は、ネットワークへのアタッチの要求である。
【０４９０】
いくつかの実施形態において、要求は、トラッキングエリア更新の要求である。
【０４９１】
いくつかの実施形態において、プロトコルメッセージは、トラッキングエリアにおける複数の基地局に送信される。
【０４９２】
実施形態の１つの集合において、通信ネットワークにおいて基地局を動作する方法は以下の通り実行される。
【０４９３】
方法は、ＵＥデバイスがページングされることを示し、且つ、ＵＥデバイスに割り当てられたＳ−ＴＭＳＩ値を含むプロトコルメッセージを通信ネットワークのノードから受信することを含む。
【０４９４】
方法は、Ｓ−ＴＭＳＩ値がとり得るＳ−ＴＭＳＩ値の空間の予約済みの部分集合に属すると判定することに応答して、１つ以上のページング拡張機構を使用してＵＥデバイスをページングすることを更に含む。予約済みの部分集合は、リンクバジェットが制限されたＵＥデバイスに対して予約される。
【０４９５】
いくつかの実施形態において、１つ以上のページング拡張機構のうちの最初の機構は、ＵＥデバイスがランダムアクセス手順を完了するまで、ページングメッセージをＵＥデバイスに繰り返し送信することを含む。
【０４９６】
いくつかの実施形態において、１つ以上のページング拡張機構のうちの最初の機構は、ページングメッセージをＵＥデバイスに複数回送信することを含む。
【０４９７】
いくつかの実施形態において、１つ以上のページング拡張機構のうちの最初の機構は、ページングメッセージをリンクバジェットが制限されていないＵＥデバイスに送信するために使用される電力より高い電力で、ページングメッセージをＵＥデバイスに送信することを含む。
【０４９８】
実施形態の１つの集合において、通信ネットワークにおいて動作する基地局は、アンテナサブシステムに接続された少なくとも１つの無線装置と、少なくとも１つの無線装置に接続された処理エージェントとを含む。処理エージェントは、（ａ）ＵＥデバイスがページングされることを示し、且つ、ＵＥデバイスに割り当てられたＳ−ＴＭＳＩ値を含むプロトコルメッセージを通信ネットワークのノードから受信することと、（ｂ）Ｓ−ＴＭＳＩ値がとり得るＳ−ＴＭＳＩ値の空間の予約済みの部分集合に属すると判定することに応答して、少なくとも１つの無線装置を介して、１つ以上のページング拡張機構を使用してＵＥデバイスをページングすることであり、予約済みの部分集合がリンクバジェットが制限されたＵＥデバイスに対して予約されることとを実現するように構成される。
【０４９９】
いくつかの実施形態において、１つ以上のページング拡張機構のうちの最初の機構は、ＵＥデバイスがランダムアクセス手順を完了するまで、ページングメッセージをＵＥデバイスに繰り返し送信することを含む。
【０５００】
いくつかの実施形態において、１つ以上のページング拡張機構のうちの最初の機構は、ページングメッセージをＵＥデバイスに複数回送信することを含む。
【０５０１】
いくつかの実施形態において、１つ以上のページング拡張機構のうちの最初の機構は、ページングメッセージをリンクバジェットが制限されていないＵＥデバイスに送信するために使用される電力より高い電力でページングメッセージをＵＥデバイスに送信することを含む。
【０５０２】
いくつかの実施形態において、処理エージェントは、少なくとも１つの無線装置を介して、第２のＵＥデバイスがページングされることを示し、且つ、第２のＵＥデバイスに割り当てられた第２のＳ−ＴＭＳＩ値を含む第２のプロトコルメッセージを通信ネットワークのノードから受信することと、第２のＳ−ＴＭＳＩ値が予約済みの部分集合の補集合に属すると判定することに応答して、少なくとも１つの無線装置を介して、１つ以上のページング拡張機構のうちどれも使用せずに第２のＵＥデバイスをページングすることとを実現するように更に構成される。
【０５０３】
本開示の実施形態は、種々の形式のうちのいずれでも実現される。例えばいくつかの実施形態は、コンピュータにより実現される方法、コンピュータ可読記憶媒体又はコンピュータシステムとして実現される。他の実施形態は、ＡＳＩＣ等の１つ以上の特注のハードウェアデバイスを使用して実現される。更に他の実施形態は、ＦＰＧＡ等の１つ以上のプログラマブルハードウェアエレメントを使用して実現される。
【０５０４】
いくつかの実施形態において、非一時的なコンピュータ可読記憶媒体は、プログラム命令及び／又はデータを格納するように構成される。コンピュータシステムにより実行される場合、プログラム命令により、コンピュータシステムは、本明細書において説明される方法の実施形態のうちのいずれか又は本明細書において説明される方法の実施形態のあらゆる組み合わせ、あるいは本明細書において説明される方法の実施形態のうちのいずれかのあらゆる部分集合又はそのような部分集合のあらゆる組み合わせ等の方法を実行する。
【０５０５】
いくつかの実施形態において、デバイス（例えば、ＵＥ１０６）は、プログラム命令を格納する記憶媒体と、記憶媒体からのプログラム命令を読み出し且つ実行するように構成されたプロセッサ（又はプロセッサの集合）とを含むように構成される。プログラム命令は、本明細書において説明される種々の方法の実施形態のうちのいずれか（又は本明細書において説明される方法の実施形態のあらゆる組み合わせ、あるいは本明細書において説明される方法の実施形態のうちのいずれかのあらゆる部分集合又はそのような部分集合のあらゆる組み合わせ）等の方法を実現するように実行可能である。デバイスは、種々の形式のうちのいずれでも実現される。
【０５０６】
いくつかの実施形態において、集積回路は、デジタル回路及び／又はアナログ回路を含むように構成される。回路は、本明細書において説明される種々の方法の実施形態のうちのいずれか（又は本明細書において説明される方法の実施形態のあらゆる組み合わせ、あるいは本明細書において説明される方法の実施形態のうちのいずれかのあらゆる部分集合又はそのような部分集合のあらゆる組み合わせ）等の方法を実現するように構成される。集積回路は、種々の形式のうちのいずれでも実現される。
【０５０７】
実施形態をかなり詳細に上述したが、上記の開示内容が完全に理解されれば、多くの変形及び変更が当業者には明らかとなるだろう。解釈される以下の特許請求の範囲は、そのような全ての変形及び変更を範囲に含むことを意図する。
【図１Ａ】
0006449817.tif 000004
【図１Ｂ】
0006449817.tif 000005
【図２】
0006449817.tif 000006
【図３】
0006449817.tif 000007
【図４】
0006449817.tif 000008
【図５Ａ】
0006449817.tif 000009
【図５Ｂ】
0006449817.tif 000010
【図５Ｃ】
0006449817.tif 000011
【図６】
0006449817.tif 000012
【図７Ａ】
0006449817.tif 000013
【図７Ｂ】
0006449817.tif 000014
【図８】
0006449817.tif 000015
【図９】
0006449817.tif 000016
【図１０】
0006449817.tif 000017
【図１１】
0006449817.tif 000018
【図１２】
0006449817.tif 000019
【図１３】
0006449817.tif 000020
【図１４】
0006449817.tif 000021
【図１５】
0006449817.tif 000022
【図１６】
0006449817.tif 000023
【図１７】
0006449817.tif 000024
【図１８】
0006449817.tif 000025
【図１９】
0006449817.tif 000026